(57)【要約】【課題】この発明は、燃料電池内部の水が不足した場合に、アノードとカソードのガスの分圧差を調整して燃料電池の内部に水を供給することができる燃料電池システムを提供することを目的とする。【解決手段】燃料電池１２に、アノードとカソードの圧力を調整する構成として、可変調圧弁２０およびエア排圧調整弁６２を設ける。燃料電池１２の内部の水分が不足しているか否かを判定する水不足判定処理（ステップＳ１００、Ｓ１０２）を実行し、燃料電池１２内部の水分が不足していると判定されたら、原則として、当該燃料電池１２のアノードとカソードの水素分圧差を増大する（ステップＳ１２０）。【選択図】図２
2008153032.tif 000002
【特許請求の範囲】
【請求項１】
燃料電池と、
前記燃料電池のアノードとカソードの圧力を調整する圧力調整手段と、
前記燃料電池の内部の水分が不足しているか否かを判定する水不足判定手段と、
前記燃料電池の内部の水分が不足していると判定されたら、該燃料電池のアノードとカソードの水素分圧差を増大する水素分圧差調整手段と、
を有することを特徴とする燃料電池システム。
【請求項２】
前記水不足判定手段は、前記燃料電池の内部の水分の不足が実質的に該燃料電池のカソード側のみで生じていることを判別するカソード水不足判別手段を含み、
前記水分の不足が実質的に前記燃料電池のカソード側のみで生じていると判別されたら前記燃料電池のアノードとカソードの水素分圧差を増大することを特徴とする請求項１記載の燃料電池システム。
【請求項３】
前記アノードの圧力を増加することで前記水素分圧差を増大することを特徴とする請求項１または２記載の燃料電池システム。
【請求項４】
前記燃料電池に連通する冷却液流路と、
前記燃料電池のアノードとカソードの水素分圧差が大きいほど前記冷却液流路を流れる冷却液の流量を多くする冷却液流量調整手段と、
を有することを特徴とする請求項１乃至３いずれか１項記載の燃料電池システム。
【請求項５】
前記燃料電池に連通する冷却液流路と、
前記冷却液流路を流れる冷却液の温度を調節する手段と、
前記燃料電池のアノードとカソードの水素分圧差が大きいほど前記冷却液の温度を低くする冷却温度調整手段と、
を有することを特徴とする請求項１乃至４のいずれか１項記載の燃料電池システム。
【請求項６】
前記水不足判定手段は、前記燃料電池の内部の水分の不足が実質的に該燃料電池のアノード側のみで生じていることを判別するアノード水不足判別手段を含み、
前記水分の不足が実質的に前記燃料電池のアノード側のみで生じていると判別されたら前記燃料電池のアノードとカソードの酸素分圧差を増大するアノード水不足時酸素分圧差調整手段をさらに有することを特徴とする請求項１乃至５いずれか１項記載の燃料電池システム。
【請求項７】
前記カソードの圧力を増加することで前記酸素分圧差を増大することを特徴とする請求項６記載の燃料電池システム。
【請求項８】
前記燃料電池に連通する冷却液流路と、
前記燃料電池のアノードとカソードの酸素分圧差が大きいほど前記冷却液流路を流れる冷却液の流量を多くする冷却液流量調整手段と、
を有することを特徴とする請求項６または７のいずれか１項記載の燃料電池システム。
【請求項９】
前記燃料電池に連通する冷却液流路と、
前記冷却液流路を流れる冷却液の温度を調節する手段と、
前記燃料電池のアノードとカソードの酸素分圧差が大きいほど前記冷却液の温度を低くする冷却温度調整手段と、
を有することを特徴とする請求項６乃至８のいずれか１項記載の燃料電池システム。
【請求項１０】
前記燃料電池のアノードに連通するアノードガス循環流路と、
前記アノードガス循環流路内のガスの循環を促進する循環ポンプと、
前記燃料電池のアノードとカソードの酸素分圧差が大きいほど前記アノードガス循環流路内のガスの循環量を多くするガス循環量調整手段と、
を有することを特徴とする請求項６乃至９いずれか１項記載の燃料電池システム。
【請求項１１】
前記燃料電池が複数の燃料電池セルからなり、
前記複数の燃料電池セルのうち、内部の水分が相対的に少ない燃料電池セルを特定する水分少量セル特定手段を有し、
前記水不足判定手段は、前記内部の水分が相対的に少ないと特定された燃料電池セルが水分の不足を生じているか否かを判定する特定セル水不足判定手段であり、
前記特定された燃料電池セルの内部の水分が不足していると判定されたら該燃料電池のアノードとカソードの水素分圧差を増大することを特徴とする請求項１乃至１０いずれか１項記載の燃料電池システム。
【請求項１２】
前記複数の燃料電池セルの各セルのクロスリーク量を検知する手段を有し、
前記水分少量セル特定手段は、前記複数の燃料電池セルのうちクロスリーク量が相対的に少ない燃料電池セルを前記水分が相対的に少ない燃料電池セルと特定することを特徴とする請求項１１記載の燃料電池システム。
【請求項１３】
前記複数の燃料電池セルの各セルのストイキ比を算出する手段を有し、
前記水分少量セル特定手段は、前記複数の燃料電池のうちストイキ比が相対的に大きい燃料電池セルを前記水分が相対的に少ない燃料電池セルと特定することを特徴とする請求項１１または１２のいずれか１項記載の燃料電池システム。
【請求項１４】
前記燃料電池が複数の燃料電池セルからなり、
前記複数の燃料電池セルのうち、内部の水分が相対的に多い燃料電池セルを特定する水分多量セル特定手段と、
前記水分が相対的に多いと特定された燃料電池セルで水分が過剰となっているか否かを判定するセル水分過剰判定手段と、
前記特定された燃料電池セルの内部の水分が過剰であると判定されたら、該燃料電池セルのアノードとカソードの水素分圧差を減少させる水分過剰時水素分圧差調整手段と、
を有することを特徴とする請求項１乃至１３のいずれか１項記載の燃料電池システム。
【請求項１５】
前記複数の燃料電池セルの各セルのクロスリーク量を検知する手段を有し、
前記水分多量セル特定手段は、前記複数の燃料電池のうちクロスリーク量が相対的に多い燃料電池セルを前記水分が相対的に多い燃料電池セルと特定することを特徴とする請求項１４記載の燃料電池システム。
【請求項１６】
前記複数の燃料電池セルの各セルのストイキ比を算出する手段を有し、
前記水分多量セル特定手段は、前記複数の燃料電池セルのうちストイキ比が相対的に小さい燃料電池セルを前記水分が相対的に多い燃料電池セルと特定することを特徴とする請求項１４または１５のいずれか１項記載の燃料電池システム。
【請求項１７】
燃料電池と、
前記燃料電池のアノードとカソードの圧力を調整する圧力調整手段と、
前記燃料電池の内部の水分が不足しているか否かを判定する水不足判定手段と、
前記燃料電池の内部の水分が不足していると判定されたら、該燃料電池のアノードとカソードの酸素分圧差を増大する酸素分圧差調整手段と、
を有することを特徴とする燃料電池システム。
【請求項１８】
前記水不足判定手段は、前記燃料電池の内部の水分の不足が実質的に前記燃料電池のアノード側のみで生じていることを判別するアノード水不足判別手段を含み、
前記水分の不足が実質的に前記燃料電池のアノード側のみで生じていると判別されたら前記燃料電池のアノードとカソードの酸素分圧差を増大することを特徴とする請求項１７記載の燃料電池システム。
【請求項１９】
前記水不足判定手段は、前記燃料電池の内部の水分の不足が実質的に前記燃料電池のカソード側のみで生じていることを判別するカソード水不足判別手段を含み、
前記水分の不足が実質的に前記燃料電池のカソード側のみで生じていると判別されたら前記燃料電池のアノードとカソードの水素分圧差を増大するカソード水不足時水素分圧差調整手段をさらに有することを特徴とする請求項１７または１８のいずれか１項記載の燃料電池システム。
【請求項２０】
前記アノードの圧力以下の範囲で前記カソードの圧力を増加して、前記酸素分圧差を増大することを特徴とする請求項１７乃至１９いずれか１項記載の燃料電池システム。
【発明の詳細な説明】
【技術分野】
【０００１】
この発明は、燃料電池システムに関する。
【背景技術】
【０００２】
従来、例えば、特開２００４−１２７９１４号公報に開示されているように、電解質膜の加湿等の目的で、燃料電池内部に水を供給する燃料電池システムが知られている。燃料電池内の電解質膜は、適度な湿潤状態にあると良好な電気特性を示す。しかしながら、運転状態によっては、電解質膜に含まれる水量が変化することがある。
【０００３】
上記従来の燃料電池システムでは、これに対処するため、電解質膜に水を供給すべき状況においては、通常の運転状態に比して、カソード圧をアノード圧よりも高圧にする。電解質膜を挟んでアノードとカソードの圧力差があると、高圧の極から低圧の極へと、電解質膜を透過して水が移動する。上記従来の技術では、圧力差を大きくすることでカソードからアノードへの水移動を促進し、電解質膜に水分を供給することができる。
【０００４】
また、電解質膜への水供給を抑制すべき状況においては、逆に、アノード圧をカソード圧よりも高圧にする。これにより、アノードへの水移動を抑制し、電解質膜の加湿を抑制できる。このように、上記従来の技術によれば、両極間の圧力差により生ずる電解質膜を介した水移動を利用して、電解質膜を適切な湿潤状態に保つことができる。
【０００５】
【特許文献１】特開２００４−１２７９１４号公報
【特許文献２】特開２０００−３４０２４１号公報
【特許文献３】特許２５４１２８８号公報
【特許文献４】特開２００５−２５１４８２号公報
【特許文献５】特開２００５−２２８７０９号公報
【特許文献６】特開２００３−４５４６６号公報
【発明の開示】
【発明が解決しようとする課題】
【０００６】
ところで、電解質膜を挟んで両極（アノード極、カソード極）間にガスの分圧差が生じている状況下では、分圧の高い極から分圧の低い極へと電解質膜を介してガスが移動する（このようなガスの移動は、「クロスリーク」とも呼称される）。クロスリークによりアノードの水素がカソードへと移動すると、当該移動した水素がカソードの酸素と触媒上で反応し、水が生成する。逆に、カソードの酸素がアノードへと移動すると、当該移動した酸素がアノードの水素と触媒上で反応し、水が生成する。そこで、本願発明者はこの点に着目し、当該水生成の機能を燃料電池内部への水供給に利用することに想到した。
【０００７】
この発明は、上記のような思想に基づいてなされたもので、燃料電池内部の水が不足した場合に、アノードとカソードのガスの分圧差を調整して燃料電池の内部に水を供給することができる燃料電池システムを提供することを目的とする。
【課題を解決するための手段】
【０００８】
第１の発明は、上記の目的を達成するため、燃料電池システムであって、
燃料電池と、
前記燃料電池のアノードとカソードの圧力を調整する圧力調整手段と、
前記燃料電池の内部の水分が不足しているか否かを判定する水不足判定手段と、
前記燃料電池の内部の水分が不足していると判定されたら、該燃料電池のアノードとカソードの水素分圧差を増大する水素分圧差調整手段と、
を有することを特徴とする。
【０００９】
また、第２の発明は、第１の発明において、
前記水不足判定手段は、前記燃料電池の内部の水分の不足が実質的に該燃料電池のカソード側のみで生じていることを判別するカソード水不足判別手段を含み、
前記水分の不足が実質的に前記燃料電池のカソード側のみで生じていると判別されたら前記燃料電池のアノードとカソードの水素分圧差を増大することを特徴とする。
【００１０】
また、第３の発明は、第１または第２の発明において、
前記アノードの圧力を増加することで前記水素分圧差を増大することを特徴とする。
【００１１】
また、第４の発明は、第１乃至第３の発明において、
前記燃料電池に連通する冷却液流路と、
前記燃料電池のアノードとカソードの水素分圧差が大きいほど前記冷却液流路を流れる冷却液の流量を多くする冷却液流量調整手段と、
を有することを特徴とする。
【００１２】
また、第５の発明は、第１乃至第４の発明において、
前記燃料電池に連通する冷却液流路と、
前記冷却液流路を流れる冷却液の温度を調節する手段と、
前記燃料電池のアノードとカソードの水素分圧差が大きいほど前記冷却液の温度を低くする冷却温度調整手段と、
を有することを特徴とする。
【００１３】
また、第６の発明は、第１乃至第５の発明において、
前記水不足判定手段は、前記燃料電池の内部の水分の不足が実質的に該燃料電池のアノード側のみで生じていることを判別するアノード水不足判別手段を含み、
前記水分の不足が実質的に前記燃料電池のアノード側のみで生じていると判別されたら前記燃料電池のアノードとカソードの酸素分圧差を増大するアノード水不足時酸素分圧差調整手段をさらに有することを特徴とする。
【００１４】
また、第７の発明は、第６の発明において、
前記カソードの圧力を増加することで前記酸素分圧差を増大することを特徴とする。
【００１５】
また、第８の発明は、第６または第７の発明において、
前記燃料電池に連通する冷却液流路と、
前記燃料電池のアノードとカソードの酸素分圧差が大きいほど前記冷却液流路を流れる冷却液の流量を多くする冷却液流量調整手段と、
を有することを特徴とする。
【００１６】
また、第９の発明は、第６乃至第８の発明において、
前記燃料電池に連通する冷却液流路と、
前記冷却液流路を流れる冷却液の温度を調節する手段と、
前記燃料電池のアノードとカソードの酸素分圧差が大きいほど前記冷却液の温度を低くする冷却温度調整手段と、
を有することを特徴とする。
【００１７】
また、第１０の発明は、第６乃至第９の発明において、
前記燃料電池のアノードに連通するアノードガス循環流路と、
前記アノードガス循環流路内のガスの循環を促進する循環ポンプと、
前記燃料電池のアノードとカソードの酸素分圧差が大きいほど前記アノードガス循環流路内のガスの循環量を多くするガス循環量調整手段と、
を有することを特徴とする。
【００１８】
また、第１１の発明は、第１乃至第１０の発明において、
前記燃料電池が複数の燃料電池セルからなり、
前記複数の燃料電池セルのうち、内部の水分が相対的に少ない燃料電池セルを特定する水分少量セル特定手段を有し、
前記水不足判定手段は、前記内部の水分が相対的に少ないと特定された燃料電池セルが水分の不足を生じているか否かを判定する特定セル水不足判定手段であり、
前記特定された燃料電池セルの内部の水分が不足していると判定されたら該燃料電池のアノードとカソードの水素分圧差を増大することを特徴とする。
【００１９】
また、第１２の発明は、第１１の発明において、
前記複数の燃料電池セルの各セルのクロスリーク量を検知する手段を有し、
前記水分少量セル特定手段は、前記複数の燃料電池セルのうちクロスリーク量が相対的に少ない燃料電池セルを前記水分が相対的に少ない燃料電池セルと特定することを特徴とする。
【００２０】
また、第１３の発明は、第１１または第１２の発明において、
前記複数の燃料電池セルの各セルのストイキ比を算出する手段を有し、
前記水分少量セル特定手段は、前記複数の燃料電池のうちストイキ比が相対的に大きい燃料電池セルを前記水分が相対的に少ない燃料電池セルと特定することを特徴とする。
【００２１】
また、第１４の発明は、第１乃至第１３の発明において、
前記燃料電池が複数の燃料電池セルからなり、
前記複数の燃料電池セルのうち、内部の水分が相対的に多い燃料電池セルを特定する水分多量セル特定手段と、
前記水分が相対的に多いと特定された燃料電池セルで水分が過剰となっているか否かを判定するセル水分過剰判定手段と、
前記特定された燃料電池セルの内部の水分が過剰であると判定されたら、該燃料電池セルのアノードとカソードの水素分圧差を減少させる水分過剰時水素分圧差調整手段と、
を有することを特徴とする。
【００２２】
また、第１５の発明は、第１４の発明において、
前記複数の燃料電池セルの各セルのクロスリーク量を検知する手段を有し、
前記水分多量セル特定手段は、前記複数の燃料電池のうちクロスリーク量が相対的に多い燃料電池セルを前記水分が相対的に多い燃料電池セルと特定することを特徴とする。
【００２３】
また、第１６の発明は、第１４または第１５の発明において、
前記複数の燃料電池セルの各セルのストイキ比を算出する手段を有し、
前記水分多量セル特定手段は、前記複数の燃料電池セルのうちストイキ比が相対的に小さい燃料電池セルを前記水分が相対的に多い燃料電池セルと特定することを特徴とする。
【００２４】
また、第１７の発明は、上記の目的を達成するため、燃料電池システムであって、
燃料電池と、
前記燃料電池のアノードとカソードの圧力を調整する圧力調整手段と、
前記燃料電池の内部の水分が不足しているか否かを判定する水不足判定手段と、
前記燃料電池の内部の水分が不足していると判定されたら、該燃料電池のアノードとカソードの酸素分圧差を増大する酸素分圧差調整手段と、
を有することを特徴とする。
【００２５】
また、第１８の発明は、第１７の発明において、
前記水不足判定手段は、前記燃料電池の内部の水分の不足が実質的に前記燃料電池のアノード側のみで生じていることを判別するアノード水不足判別手段を含み、
前記水分の不足が実質的に前記燃料電池のアノード側のみで生じていると判別されたら前記燃料電池のアノードとカソードの酸素分圧差を増大することを特徴とする。
【００２６】
また、第１９の発明は、第１７または第１８の発明において、
前記水不足判定手段は、前記燃料電池の内部の水分の不足が実質的に前記燃料電池のカソード側のみで生じていることを判別するカソード水不足判別手段を含み、
前記水分の不足が実質的に前記燃料電池のカソード側のみで生じていると判別されたら前記燃料電池のアノードとカソードの水素分圧差を増大するカソード水不足時水素分圧差調整手段をさらに有することを特徴とする。
【００２７】
また、第２０の発明は、第１７乃至第１９の発明において、
前記アノードの圧力以下の範囲で前記カソードの圧力を増加して、前記酸素分圧差を増大することを特徴とする。
【発明の効果】
【００２８】
第１の発明によれば、燃料電池内部で水分が不足している場合に、電解質膜を介してカソードへ移動する水素の量を増加させることができる。アノードの水素がカソードへと移動した場合、酸素と反応してカソードの触媒層で水が生成する。このため、第１の発明によれば、電極触媒層で生成する水の量を増加し、燃料電池内部の水量を増加することができる。
【００２９】
第２の発明によれば、実質的にカソードのみが水不足の状態にあるときにカソードで水を生成することで、カソード側に直接水を供給することができる。
【００３０】
第３の発明によれば、アノードの圧力を増加させることで、簡易な方法で水素分圧差を大きくすることができる。
【００３１】
第４の発明によれば、電極触媒層において水素と酸素の反応が局所的に生じ、電極触媒層に局所的な高温の部分（ヒートスポットとも呼称される）が生じても、冷却液の循環量を増加させることで、当該部分に集中している熱を分散することができる。
【００３２】
第５の発明によれば、電極触媒層において水素と酸素の反応が局所的に生じ、電極触媒層に局所的な高温の部分（ヒートスポットとも呼称される）が生じても、冷却温度を低下させることで、電極触媒層の過熱を防止することができる。
【００３３】
第６の発明によれば、実質的にアノードのみが水不足の状態にあるときには、アノードへ移動する酸素の量を増加させることができる。カソードの酸素がアノードに移動すると、アノードの触媒層で水が生成する。その結果、アノードへと直接水を供給することができる。
【００３４】
第７の発明によれば、カソードの圧力を増加させることで、簡易な方法で酸素分圧差を大きくすることができる。
【００３５】
第８の発明によれば、電極触媒層において水素と酸素の反応が局所的に生じ、電極触媒層に局所的な高温の部分（ヒートスポットとも呼称される）が生じても、冷却液の循環量を増加させることで、当該部分に集中している熱を分散することができる。
【００３６】
第９の発明によれば、電極触媒層において水素と酸素の反応が局所的に生じ、電極触媒層に局所的な高温の部分（ヒートスポットとも呼称される）が生じても、冷却温度を低下させることで、電極触媒層の過熱を防止することができる。
【００３７】
第１０の発明によれば、上述した酸素分圧差の増加に伴ってアノード触媒層における生成水量が増加した場合に、アノードを流れる水素量を増加することにより、フラッディングが生ずるのを防ぐことができる。
【００３８】
第１１の発明によれば、水分がより不足しやすい燃料電池セルに対して水不足の判定を行い、この燃料電池セルが水不足となった場合に、当該燃料電池セルに水を供給することができる。
【００３９】
第１２の発明によれば、電解質膜を介したクロスリーク量が相対的に少ない、すなわち、ガスが移動し難い（ガス透過量が少ない）燃料電池セルを特定し、この燃料電池セルに水不足の判定を行うことができる。クロスリーク量が少ない燃料電池セルは、より燃料電池内部の水分が不足しやすい燃料電池セルに相当する。第１２の発明によれば、そのような燃料電池セルの水不足を効果的に防止することができる。
【００４０】
第１３の発明によれば、複数の燃料電池セルのうちストイキ比が相対的に大きい燃料電池セルを判別し、当該ストイキ比が大きい燃料電池セルに水不足の判定を行うことができる。ストイキ比が大きい燃料電池セルは、内部から水分が持ち去られ易く、より乾燥しやすい状況にある。第１３の発明によれば、そのような燃料電池セルの水不足を効果的に防止することができる。
【００４１】
第１４の発明によれば、内部の水分が過剰となり易い（フラッディングを招き易い）燃料電池セルを特定し、当該特定された燃料電池セルでフラッディングが生じた場合には、アノードとカソードの水素分圧差を小さくすることができる。これにより、クロスリークに伴う水生成の反応を抑制することができる。
【００４２】
第１５の発明によれば、電解質膜を介したクロスリーク量が相対的に多い、すなわち、ガスが移動し易い（ガス透過量が多い）燃料電池セルを特定し、この燃料電池セルにフラッディングの判定を行うことができる。クロスリーク量が多い燃料電池セルは、より燃料電池内部の水分が過剰となりやすい燃料電池セルに相当する。第１３の発明によれば、そのような燃料電池セルのフラッディングを効果的に防止することができる。
【００４３】
第１６の発明によれば、複数の燃料電池セルのうちストイキ比が相対的に小さい燃料電池セルを判別し、当該ストイキ比が最大の燃料電池セルに水不足の判定を行うことができる。ストイキ比が最大の燃料電池セルは、内部から水分が持ち去られにくく、より水分が過剰となりやすい状況にある。第１６の発明によれば、そのような燃料電池セルにおけるフラッディングを効果的に防止することができる。
【００４４】
第１７の発明によれば、燃料電池内部で水が不足している場合に、電解質膜を介してアノードへ移動する酸素の量を増加させることができる。カソードの酸素がアノードへと移動した場合、水素と反応してアノードの触媒層で水が生成する。このため、第１７の発明によれば、電極触媒層で生成する水の量を増加し、燃料電池内部の水量を増加することができる。
【００４５】
第１８の発明によれば、実質的にアノードのみが水不足の状態にあるときにアノードで水を生成することで、アノード側に直接水を供給することができる。
【００４６】
第１９の発明によれば、実質的にカソードのみが水不足の状態にあるときには、カソードへ移動する水素の量を増加させることができる。アノードの水素がカソードに移動すると、カソードの触媒層で水が生成する。その結果、カソードへと直接水を供給することができる。
【００４７】
第２０の発明によれば、アノードの圧力以下の範囲でカソードの圧力を増加することにより、燃料電池内部の水量を増加することができる。
【発明を実施するための最良の形態】
【００４８】
実施の形態１．
［実施の形態１の構成］
図１は、本発明の実施の形態１の燃料電池システムの構成を説明するための図である。実施の形態１のシステムは、燃料電池１２を有している。燃料電池１２は、複数の燃料電池セルを積層して構成される。各燃料電池セルは、電解質膜、アノード、カソード、およびセパレータとから構成される。電解質膜はプロトン伝導性であり、適当な湿潤状態にあると良好な電気特性を発揮する。また、燃料電池のアノードおよびカソードには、それぞれ電極触媒層が備えられている。
【００４９】
図１に示すように、燃料電池１２には、アノードガス流路１４及びカソードガス流路１６が導入されている。アノードガス流路１４は、循環ポンプ２６、可変調圧弁２０、シャットバルブ２１を介して、水素タンク１８に連通している。水素タンク１８内には水素リッチなアノードガスが高圧な状態で貯留されている。
【００５０】
シャットバルブ２１を閉じた状態ではアノードガスの供給が停止され、シャットバルブ２１を開くことでアノードガスが燃料電池１２に供給される。アノードガスの供給中に可変調圧弁２０を制御することで、燃料電池１２の入口におけるアノードガスの圧力を調圧することができる。また、アノードガス流路１４における燃料電池１２の入口付近には、圧力センサ２２が接続されている。
【００５１】
カソードガス流路１６には、ポンプ２４が設けられている。ポンプ２４の駆動により燃料電池１２のカソードへ、酸素を含む酸化ガスとしてのカソードガスが送られる。そして、ポンプ２４の動作量を調整することにより、燃料電池１２に送られるカソードガスの流量を調整することができる。
【００５２】
このような構成によれば、アノードガス流路１４から燃料電池１２に送られたアノードガスは、燃料電池１２内の各燃料電池セルのアノードに送られる。同様に、カソードガス流路１６から燃料電池１２に送られたカソードガスは、燃料電池１２内の各燃料電池セルのカソードに送られる。なお、以下の説明では、燃料電池１２内の各燃料電池セルのアノードを、ひとまとめとして、単に「燃料電池１２のアノード」とも呼称する。同様に、燃料電池１２内の燃料電池セルのカソードを、ひとまとめとして、単に「燃料電池１２のカソード」とも呼称する。
【００５３】
燃料電池１２のアノードでは、アノードガスが送り込まれると、このアノードガス中の水素から水素イオンを生成する（Ｈ２→２Ｈ＋＋２ｅ−）。また、カソードは、カソードガスが送り込まれると、このカソードガス中の酸素から酸素イオンを生成し、燃料電池１２内では電力が発生する。また、これと同時にカソードにおいて、上記の水素イオンと酸素イオンとから水（生成水）が生成される（（１／２）Ｏ２＋２Ｈ＋＋２ｅ−→Ｈ２Ｏ）。この水のほとんどは、燃料電池１２内で発生する熱を吸収して水蒸気となり、カソードオフガス中に含まれて排出される。
【００５４】
アノードから排出されたアノードオフガスは、アノードオフガス流路４６に送られる。アノードオフガス流路４６は、その下流で循環ポンプ２６に連通している。アノードオフガスは循環ポンプ２６の駆動によりアノードガス流路１４へ戻され、燃料電池１２へと再び供給される。そして、このようなアノードオフガスの再供給と共に、水素タンク１８からの水素の補充が行われる。このような構成によれば、アノードオフガスを燃料電池１２送ることができ、アノードオフガス中に含まれる未反応の水素を燃料電池１２内で反応させることができる。その結果、水素の利用効率を高めることができる。なお、上述したアノードガス流路１４→燃料電池１２のアノード→アノードオフガス流路４６→循環ポンプ２６を含む循環流路が、アノードガス循環流路を形成しているとも言うことができる。
【００５５】
燃料電池１２のカソードから排出されたカソードオフガスは、図１に示すカソードオフガス流路５８に送られる。カソードオフガスは、カソードオフガス流路５８を通り、最終的には希釈器６０から排出される。カソードオフガス流路５８は、エア排圧調整弁６２、希釈器６０を介して、図示しないエア排気系へと連通している。
【００５６】
エア排圧調整弁６２を制御することで、カソードオフガスの圧力を調整することができる。また、カソードオフガス流路５８におけるエア排圧調整弁６２の上流には、カソードオフガス圧力を検出する圧力センサ６４が設けられている。
【００５７】
また、図１のシステムは、燃料電池１２を冷却するための冷却液流路７０を有している。冷却液流路７０は、各燃料電池セルのセパレータに形成される冷却流路に連通している。このような構成によれば、冷却液流路７０内で冷却液を循環させることにより、燃料電池セルを冷却することができる。なお、図１のシステムは、図示しない冷却液循環ポンプにより、冷却液の循環量を制御することができる。冷却液の循環量を適切に制御することで、発電に伴う燃料電池１２の過度な温度上昇が抑えられ、燃料電池１２の温度を最適なものとすることができる。
【００５８】
図１に示すように、本実施形態のシステムはＥＣＵ（Electronic Control Unit）４０を備えている。ＥＣＵ４０には、システムの運転状態を把握すべく、燃料電池１２の出力（電圧値、電流値）、冷却水温などを検出するための各種センサ（不図示）が接続されている。これにより、ＥＣＵ４０は、燃料電池１２が備えるそれぞれの燃料電池セルの電圧を検知することができる。
【００５９】
また、ＥＣＵ４０には、上述した圧力センサ２２、６４、可変調圧弁２０、排水弁５２、排気弁５４、エア排圧調整弁６２、冷却液循環ポンプ（図示せず）などが接続されている。ＥＣＵ４０は、燃料電池１２の出力、各ガスの圧力、各ガスの流量、冷却液の循環量を制御することで、燃料電池１２を所望の運転状態で運転することができる。
【００６０】
また、ＥＣＵ４０は、燃料電池セル内の水分が不足しているか否かを判定する処理（以下、「水不足判定処理」とも呼称する）を記憶している。この処理は、具体的には、燃料電池１２の出力、主に電圧値の情報に基づいて、燃料電池１２内部の水分の不足が生じているか否かを判定するものである。
【００６１】
上述したように、電解質膜は、適当な湿潤状態にあると良好な電気特性を示す。しかしながら、燃料電池システムの運転状態が変化すると、電解質膜に含まれる水量が変化することがある。このような場合、電解質膜の湿潤状態は燃料電池セルの出力に影響を及ぼすことになる。
【００６２】
すなわち、電解質膜に含まれる水分が減少した場合には、それに付随して燃料電池セルの出力電圧の低下が見られることになる（このような状態は、「ドライアップ」とも呼称される）。実施の形態１では、このような電圧変化を観測することにより、燃料電池の水不足が生じているか否かを判定することとする。なお、このような燃料電池の水不足判定に関する技術は既に公知となっており、例えば、特開２００４−１２７９１４号公報で開示されているような燃料電池の水分状態診断手法により実現することができる。このため、水不足判定に関する更なる詳細についてはその説明を省略することとする。
【００６３】
［実施の形態１の動作］
（実施の形態１の第１特徴動作「クロスリークに伴う水生成の利用」）
上述したように、実施の形態１の燃料電池システムが発電を行う際には、アノードガスおよびカソードガスがそれぞれ燃料電池１２に供給される。そして、燃料電池１２の出力が観測されるとともに、燃料電池１２内の水不足の判定が継続的に実行されている。  
【００６４】
水不足判定処理により燃料電池１２内の水分が不足しているとの判定がなされた場合には、水不足を解消するために、燃料電池１２に水を供給する必要がある。実施の形態１では、燃料電池１２が水不足であると判定された場合、下記の手法を用いて当該水不足を解消することとする。
【００６５】
電解質膜を挟んで両極（アノード極、カソード極）間にガスの分圧差が生じている状況下では、分圧の高い極から分圧の低い極へと電解質膜を介してガスが移動する。このようなガスの移動は、「クロスリーク」とも呼称される。このクロスリークにより、アノードの水素がカソードへと移動すると、当該移動した水素がカソードの酸素と触媒上で反応し、水が生成する。逆に、カソードの酸素がアノードへと移動すると、当該移動した酸素がアノードの水素と触媒上で反応し、水が生成する。そこで、実施の形態１のシステムでは、このようなクロスリークに伴う水生成を燃料電池への水供給に利用することとする。
【００６６】
具体的には、実施の形態１では、水不足判定処理が燃料電池１２の水不足の発生を検出した場合、原則として、アノードの圧力を増加してアノードとカソードの水素分圧差を大きくする。アノードとカソードの間の水素分圧差が大きくなると、電解質膜を介してアノードからカソードへと向かう水素の移動量が増加し、カソードの電極触媒層で酸素と反応する水素の量が増加する。その結果、生成水量が増加し、電解質膜へと供給される水量が増加することになる。このようにすることで、燃料電池の水分が不足している場合に、カソードの電極触媒層で生成する水の量を増加し、燃料電池１２に水を供給することができる。
【００６７】
なお、実施の形態１は、従来、例えば特開２００４−１２７９１４号公報に開示されている圧力制御方法とは、次の点において相違している。上記従来の技術では、電解質膜に水を供給すべき状況においては、通常の運転状態に比して、カソード圧をアノード圧よりも高圧にし、高圧の極から低圧の極へと電解質膜を透過して移動する水の量を増加させている。これに対し、本実施形態では、水不足時においては、アノード圧を増加させることで水素分圧差を増加させることとしている点で、上記従来の技術と明確に相違している。
【００６８】
また、上記従来の技術においては、電解質膜への水供給を抑制すべき状況においては、逆に、アノード圧をカソード圧よりも高圧にし、アノードへの水移動を抑制することとしている。電解質膜への水供給を抑制すべき状況においてアノード圧をカソード圧よりも高圧にすると、アノードへの水移動（拡散）は抑制されるものの、アノード圧をカソード圧よりも増加させた結果、水素分圧差が大きくなってクロスリーク量も増加し、カソード触媒層における反応生成水量が増加するという事態が生じうる。本実施形態では、水移動（拡散）の量ではなく、クロスリーク量に着目しているため、上記のような弊害を回避しつつ燃料電池への水供給を行うことができるという優れた特徴を有している。
【００６９】
（実施の形態１の第２特徴動作「水不足状態に応じたガス分圧差の調整」）
実施の形態１の第１特徴動作には、上述したように、クロスリークに伴う水生成を燃料電池への水供給に利用する思想が含まれている。更に、実施の形態１では、第１特徴動作で述べた思想に、以下に述べる水不足状態に応じてガス分圧差を調整する思想を加えてシステムを構成するものとする。
【００７０】
燃料電池の水不足（ドライアップ）が生じた際に電圧を低下させる要因としては、次の４つが考えられる。
ａ．電解質膜のプロトン伝導性の低下
ｂ．触媒層内のプロトン伝導性の低下（ソリューションの乾燥）
ｃ．触媒利用率の低下
ｄ．触媒層内の反応ガスの輸送性の低下
電圧低下の要因がｂ〜ｄの要因である場合、すなわち、触媒層における分極が電圧低下の支配要因となっている場合、水分が不足して加湿を必要とする部分は触媒層である。燃料電池はカソードとアノードにそれぞれ触媒層を備えており、燃料電池システムの運転状態によっては、実質的にアノードの触媒層のみが水不足となる場合や、実質的にカソードの触媒層のみが水不足となるという事態が生じうる。
【００７１】
一方、上述したクロスリークを利用した生成水の増加は、ガスの分圧差を大きくすることにより、電解質膜を介して一方の極から他方の極へと移動する水素または酸素の量を増加させることで実現される。水素分圧差を増加した場合にはアノードからカソードへ移動する水素量が増加し、逆に、酸素分圧差を増加した場合にはカソードからアノードへ移動する酸素量が増加する。従って、水素分圧差を大きくするとカソード触媒層における生成水量が増加し、酸素分圧差を大きくするとアノード触媒層における生成水量が増加する。
【００７２】
そこで、実施の形態１では、燃料電池１２が水不足であるとの判定がなされた後、さらに、水不足が実質的にアノードのみで生じている場合または実質的にカソードのみで生じている場合を判別して、それらの場合には水不足が生じている側の触媒層において生成水量が増加するようにする。具体的には、実施の形態１では、水不足の発生が検知されたら、先ず、燃料電池システムの運転状態に基づいて、下記の判断基準を用いて、燃料電池１２内部における水不足の状態を推定する。
【００７３】
燃料電池システムが高温高負荷の状態であり、その運転温度時が上昇している状況下では、燃料電池１２の内部から持ち去られる水の量が増加する。実施の形態１のようにカソード側で継続的にガスを流通させるシステムでは、カソードを流通するカソードガスにより燃料電池１２から持ち去られる水分が増加し、カソードで水不足が生じることになる。そこで、実施の形態１では、このような場合には燃料電池１２の水不足が実質的にカソードのみで生じていると判断することにする。
【００７４】
一方、燃料電池が低温低負荷で運転されている状況下では、燃料電池の温度およびその発電性能が低くなっているため、アノードガスからの加湿が少なく、また、カソードから逆拡散してくる水が少なくなる。その結果、このような運転状態にあっては、アノード側の水分が不足しやすくなっている。また、燃料電池が高温運転されている状況下では、カソードの水の持ち去り量が増加する。その結果、アノードからカソードに移動する水の量が増加し、アノード側の水分が不足しやすくなる。
【００７５】
また、燃料電池が高負荷で運転されている状況下では、発電反応中のプロトン（Ｈ＋）伝導に随伴してアノードからカソードへと移動する水（以下、「随伴水」とも呼称する）の量が増加する。このような状況にあって、かつ、カソード圧が低い状況下では、逆拡散が追いつかず、アノード側の水分が不足しやすい。そこで、実施の形態１では、上記のようなアノードの水分が不足する傾向にあるいくつかの状況で燃料電池が運転されている場合には、燃料電池１２の水不足が実質的にアノードのみで生じていると判断することにする。
【００７６】
そして、実施の形態１では、上記の条件のいずれにも当てはまらない場合には、燃料電池１２の水不足の状態がアノードのみの水不足とカソードのみの水不足のどちらでもないと判断することにする。
【００７７】
上記の手法により当該水不足が実質的にアノードのみで生じていると判断された場合には、水素分圧差を大きくする。これにより、アノードへの酸素の移動量を増加し、アノード触媒層の生成水量を増加する。また、当該水不足が実質的にカソードのみで生じていると判断された場合には、酸素分圧差を大きくする。これにより、カソードへの水素の移動量を増加し、カソード触媒層における生成水量を増加することとする。
【００７８】
以上の動作によれば、アノードのみで水が不足している場合にはアノードへと直接水を供給し、カソードのみで水が不足している場合にはカソードへと直接水を供給することができる。その結果、アノード若しくはカソードの触媒層の水不足を、確実かつ速やかに解消することができる。また、水不足が生じている側の極で直接水を生成する本手法によれば、本手法とは逆に水不足が生じていない側の極で水を生成する手法に比して、得られる加湿効果が極めて高くなる。加えて、本手法によれば、前述したように効率よく水供給を行うことができるため、ＭＥＡに大きな差圧をつける必要がなく、耐久性への影響も抑えることができる。
【００７９】
なお、実施の形態１では、上記のいずれにも該当しない場合、すなわち、アノードのみの水不足やカソードのみの水不足ではない場合（例えば、上述した要因ａの場合や、アノードとカソードの両方の触媒層で水不足が生じている場合など）には、上述した第１特徴動作で述べたように水素分圧差を大きくすることとする。これにより、生成水量を増加し、電解質膜および触媒層の水不足を解消することができる。
【００８０】
［実施の形態１の具体的処理］
以下、図２を用いて、実施の形態１のシステムが行う具体的処理を説明する。図２は、実施の形態１においてＥＣＵ４０が実行するルーチンのフローチャートである。図２のルーチンは、実施の形態１のシステムの運転中に実行される。また、図２のルーチンは、上述した実施の形態１の第１特徴動作を実現する処理と、第２特徴動作を実現する処理の双方の処理を含んでいる。
【００８１】
図２に示すルーチンでは、先ず、水不足（ドライアップ）が発生しているか否かが判定される（ステップＳ１００）。具体的には、ＥＣＵ４０に備えられている水不足判定処理により、燃料電池１２の出力に基づいて、水不足の判定がなされる。当該ステップＳ１００の条件の成立が認められない場合には、燃料電池１２内部に十分な水分が確保されているとの判断がなされ、今回のルーチンが終了する。
【００８２】
ステップＳ１００の条件の成立が認められた場合には、燃料電池１２内部の水分が不足しているとの判断がなされる。この場合には、続いて、水不足の状態が、実質的にアノード側のみの水不足の場合と、実質的にカソード側のみの水不足の場合と、そのいずれでもない場合の３つの場合のうちのいずれに該当するかが判別される（ステップＳ１０２）。具体的には、ステップＳ１０２では、先ず、ＥＣＵ４０が燃料電池システムの運転状態に関する情報を取得する。
【００８３】
そして、予め実験等により上述のアノードおよびカソードの水不足が生じる運転条件（温度、負荷など）の範囲のマップを作成しておき、ＥＣＵ４０が取得した運転状態（温度、負荷など）の情報が、このマップにおける水不足の発生条件範囲内に含まれるか否かの判定を行う。これにより、燃料電池１２の水不足の状態が上記いずれの状態に当てはまるかを判別できる。
【００８４】
以下、図２のフローチャートの処理を、アノード側のみで水不足の場合と、カソード側のみで水不足の場合と、それ以外の場合についてそれぞれ説明する。
【００８５】
（実質的にアノード側のみで水不足が生じている場合）
ステップＳ１０２において、燃料電池１２の水不足の状態が実質的にアノードのみで生じていると判別された場合には、カソードの圧力を増加する処理がなされる（ステップＳ１０４）。具体的には、所定の圧力だけカソードの圧力が増加するように、可変調圧弁２０が開弁側に制御される。
【００８６】
これにより、アノードとカソードの酸素分圧差が増加し、カソードからアノードへクロスリークする酸素量が増加する。その結果、アノード触媒上で水素と反応する酸素が増加し、生成水量が増加する。これにより、アノードのみで水が不足している場合に、アノードへと直接水を供給することができる。その結果、アノードの電極触媒層の水不足を、確実かつ速やかに解消することができる。
【００８７】
続いて、冷却液量の増加が行われる（ステップＳ１０６）。具体的には、冷却液循環ポンプ（不図示）が制御され、冷却液流路７０内を流れる冷却液の循環量を増加する処理がなされる。クロスリークにより水素と酸素が反応する際に、当該反応が電極触媒層上で局所的に生じる（或いは、その反応量に偏りが生じる）場合がある。これに起因して、電極触媒層に局所的な高温の部分（ヒートスポットとも呼称される）が生じてしまう場合がある。実施の形態１によれば、クロスリーク量の増加に応じて冷却液の循環量を増加させることとしているので、上述したような状況が生じても、集中している熱を分散することができる。
【００８８】
なお、カソード圧の増加量を大きくするほど冷却液の循環流量を多くしたり、カソード圧の絶対値やカソード圧とアノード圧の差の絶対値に応じて循環流量を設定したりするなどの手法を加えても良い。これにより、クロスリークによる水生成反応の増加に応じて冷却液の循環量を増やすことができ、上述したような状況に、より効果的に対処することが可能となる。
【００８９】
ステップＳ１０６の処理が実行されると、次に、水素循環比を増やす処理が行われる（ステップＳ１０８）。具体的には、ＥＣＵ４０により、循環ポンプ２６の動作量を増加する処理がなされる。上述した水素分圧差の増加に伴ってアノードの生成水量が増加した場合に、アノード内の水分が、燃料電池１２の水不足のために必要な量を上回る場合がある。
【００９０】
そのような場合に、いわゆるフラッディングを招来し、燃料電池１２の発電に好ましくない影響を及ぼすおそれがある。実施の形態１では、ステップＳ１０８の処理によりアノードを流れる水素量を増加することとしているため、アノードを循環することにより持ち去られる水の量を増加することができ、このような弊害が生ずるのを防止することができる。
【００９１】
続いて、ステップＳ１００で検知された水不足（ドライアップ）が解消しているか否かの判定が行われる（ステップＳ１１０）。具体的には、燃料電池１２のスタック抵抗が、予め実験等により求められた許容範囲内にあるか否かが判定される。算出されたスタック抵抗値が許容範囲内に無ければ、ステップＳ１１０の条件の成立は認められず水不足は未だ解消されていないと判断され、ステップＳ１０４からの処理が再び実行される。
【００９２】
ステップＳ１１０の条件の成立が認められた場合には、水不足が解消したとの判断がなされ、システムの状態を標準運転状態に徐々に戻す処理が実行される（ステップＳ１１２）。その後、今回のルーチンが終了する。
【００９３】
（実質的にカソード側のみで水不足が生じている場合）
ステップＳ１０２において、燃料電池１２の水不足の状態が実質的にカソードのみで生じていると判別された場合には、アノードの圧力を増加する処理がなされる（ステップＳ１１４）。具体的には、所定の圧力だけアノードの圧力が増加するように、可変調圧弁２０が開弁側に制御される。
【００９４】
これにより、アノードとカソードの水素分圧差が増加し、アノードからカソードへクロスリークする水素量が増加する。その結果、カソード触媒上で反応する水素量が増加し、生成水量が増加する。そして、カソードのみで水が不足している場合に、カソードへと直接水を供給することができるので、カソード電極触媒層の水不足を確実かつ速やかに解消することができる。
【００９５】
続いて、ステップＳ１０６と同様に冷却液量の増加が行われ（ステップＳ１１６）、その後、ステップＳ１１０と同様に水不足（ドライアップ）が解消しているか否かの判定が行われる（ステップＳ１１８）。ステップＳ１１８の条件の成立が認められない場合には、再びステップＳ１１４からの処理が実行される。ステップＳ１１８の条件の成立が認められた場合には、水不足が解消したとの判断がなされ、システムの状態を標準運転状態に徐々に戻す処理が実行される（ステップＳ１１２）。その後、今回のルーチンが終了する。
【００９６】
（アノードのみの水不足とカソードのみの水不足のどちらでもない場合）
ステップＳ１０２において、燃料電池１２の水不足の状態がアノードのみの水不足とカソードのみの水不足のどちらでもないと判断された場合には、アノードの圧力を増加する処理がなされる（ステップＳ１２０）。
【００９７】
具体的には、ステップＳ１０４の処理と同様に、所定の圧力だけアノードの圧力が増加するように、可変調圧弁２０が開き気味に制御される。その結果、カソード触媒上で酸素と反応する水素量が増加し、生成する水の量が増加する。生成水量が増加することで、燃料電池１２内部の水の量が増加することとなり、燃料電池１２内の水不足が緩和されることになる。
【００９８】
続いて、ステップＳ１０６と同様に冷却液量の増加が行われ（ステップＳ１２２）、ステップＳ１００で検知された水不足が改善したか否かが判定される（ステップＳ１２６）。具体的には、ＥＣＵ４０が燃料電池１２のスタック抵抗を算出し、この値が、予め実験等により求められた通常運転時におけるスタック抵抗の標準値側へと変化しているか否かが判定される。算出されたスタック抵抗値が標準値側へと変化していれば、水不足が改善したとの判断がなされる。また、そのような変化が認められない場合には、水不足の改善が得られていないとの判断がなされる。
【００９９】
ステップＳ１１０の条件の成立が認められた場合には、その後、水不足が解消しているか否かの判定が行われる（ステップＳ１２８）。具体的には、燃料電池１２のスタック抵抗が、予め実験等により求められた許容範囲内にあるか否かが判定される。算出されたスタック抵抗値が許容範囲内に無ければ、ステップＳ１２８の条件の成立は認められず水不足は未だ解消されていないと判断され、ステップＳ１２０からの処理が再び実行される。
【０１００】
ステップＳ１２８の条件の成立が認められた場合には、水不足が解消したとの判断がなされ、システムの状態を標準運転状態に徐々に戻す処理が実行される（ステップＳ１１２）。その後、今回のルーチンが終了する。このような一連の処理によれば、アノード圧を増加することによる水不足の改善効果が認められることを確認しつつ、水不足が解消されるまで当該アノード圧の増加を継続することができる。
【０１０１】
一方、ステップＳ１２６の条件の成立が認められない場合には、カソード圧を増加する処理が実行される（ステップＳ１３０）。具体的には、ステップＳ１１４の処理と同様に、所定の圧力だけアノードの圧力が増加するように、エア排圧調整弁６２が制御される。これにより、アノードとカソードの酸素分圧差が増加し、カソードからアノードへクロスリークする酸素量が増加する。その結果、アノードの生成水量が増加することで、燃料電池１２内部の水の量が増加することとなり、燃料電池１２内の水不足が緩和されることになる。
【０１０２】
続いて、ステップＳ１０８と同様に水素循環比を増やす処理が行われ（ステップＳ１３１）、その後、ステップＳ１２８の処理と同様に、水不足が解消しているか否かの判定が行われる（ステップＳ１３２）。水不足が解消しているとの判定が成されない場合には、当該判定が成されるまで、ステップＳ１３０からの処理が実行される。水不足の解消が認められた場合には、ステップＳ１１２へと移行し、その後、今回のルーチンが終了する。
【０１０３】
以上説明した処理によれば、燃料電池１２内部で水分が不足している場合に、クロスリークに伴う水生成を利用して、燃料電池１２に水を供給することができる。具体的には、実施の形態１では、燃料電池１２内の水分の不足時にアノードとカソードの水素分圧差を大きくして、電解質膜を介してカソードへ移動する水素の量を増加させることができる。その結果、電極触媒層で反応する水素量が増加し、燃料電池１２内部の生成水量を増加することができる。なお、実施の形態１では水素分圧差を大きくするためにアノード圧を増加しているが、このような手法によれば、水素タンク１８に水素が高圧に貯留されている点から、より簡易にかつ効率よく水素分圧差を大きくすることができる。
【０１０４】
また、上述した具体的処理によれば、実質的にカソードのみが水不足の状態にある場合を判別したうえで、カソードで水を生成することとしている。その結果、アノードのみで水が不足している場合に、アノードへと直接水を供給することができる。さらに、上述した具体的処理では、水素分圧差を大きくする際に、アノードの圧力を増加させることとしている。これにより、簡易な方法で水素分圧差を大きくすることができる。
【０１０５】
また、上述した具体的処理では、実質的にアノードのみが水不足の状態にある場合を判別し、この場合にはアノードへ移動する酸素の量を増加させることができる。これにより、カソードのみで水が不足している場合に、カソードへと直接水を供給することができる。更に、上述した具体的処理では、酸素分圧差を大きくする際にカソードの圧力を増加させるという手法をとることで、簡易な方法で酸素分圧差を大きくすることができる。
【０１０６】
また、上述したような水不足が生じている側の極で直接水を生成する本手法によれば、得られる加湿効果が極めて高くなる利点や、効率よく水供給を行うことができるためＭＥＡに大きな差圧をつける必要がないなどの利点がある。
【０１０７】
また、上述した具体的処理では、電極触媒層において水素と酸素の反応が局所的に生じ、電極触媒層に局所的な高温の部分（ヒートスポットとも呼称される）が生じても、冷却液の循環量を増加させることで、当該部分に集中している熱を分散することができる。
【０１０８】
また、上述した具体的処理によれば、酸素分圧差の増加に伴ってアノードの生成水量が増加した場合に、アノードを循環する水素量を増加することができる。その結果、いわゆるフラッディングを招来するおそれを少なくすることができる。また、実施の形態１のようにクロスリーク量の増加に合わせて水素循環量を増加させることで、クロスリークに伴って生成された水をアノードのガス流路を介して循環させることができ、アノードをより一様に（むらなく）加湿することができる。
【０１０９】
尚、上述した実施の形態１では、燃料電池１２が前記第１の発明における「燃料電池」に相当し、可変調圧弁２０およびエア排圧調整弁６２が前記第１の発明の「圧力調整手段」に相当し、上述したルーチンのステップＳ１００、Ｓ１０２の処理が実行されることで、前記第１の発明における「水不足判定手段」が、ステップＳ１２０の処理が実行されることで、前記第１の発明における「水素分圧差調整手段」が、それぞれ実現されている。
【０１１０】
また、上述した実施の形態１では、その具体的処理において、ステップＳ１０２の処理が実行されることで、前記第２の発明における「カソード水不足判別手段」が実現されている。
【０１１１】
また、上述した実施の形態１では、冷却液流路７０が、前記第４の発明の「冷却液流路」に相当し、上述した具体的処理においてステップＳ１１６またはＳ１２２の処理が実行されることで、前記第４の発明の「冷却液流量調整手段」が実現されている。
【０１１２】
また、上述した実施の形態１では、その具体的処理において、ステップＳ１０２の処理が実行されることで、前記第６の発明における「アノード水不足判別手段」が、ステップＳ１０４の処理が実行されることにより、前記第６の発明における「アノード水不足時酸素分圧差調整手段」が、それぞれ実現されている。
【０１１３】
また、上述した実施の形態１では、冷却液流路７０が、前記第８の発明の「冷却液流路」に相当し、その具体的処理において、ステップＳ１０６の処理が実行されることで、前記第８の発明の「冷却液流量調整手段」が実現されている。
【０１１４】
また、上述した実施の形態１では、アノードガス流路１４→燃料電池１２のアノード→アノードオフガス流路４６→循環ポンプ２６を含む循環流路（アノードガス循環流路）が、前記第１０の発明の「アノードガス循環流路」に、循環ポンプ２６が、前記第１０の発明の「循環ポンプ」に、それぞれ相当している。また、上述した実施の形態１の具体的処理において、ステップＳ１０８またはＳ１３１が実行されることにより、前記第１０の発明の「ガス循環量調整手段」が実現されている。
【０１１５】
なお、上述のステップＳ１０２の処理は、より具体的には、「燃料電池の運転状態が、当該燃料電池の水不足が実質的にカソードのみで発生する第１運転状態と、当該燃料電池の水不足が実質的にアノードのみで発生する第２運転状態と、そのいずれにも該当しない第３運転状態のいずれに該当するかを判別する処理」を行っているともいうことができる。
【０１１６】
［実施の形態１の変形例］
（第１変形例）
実施の形態１では、上述した第１特徴動作に含まれる「クロスリークに伴う水生成を燃料電池への水供給に利用する思想」と、第２特徴動作に含まれる「水不足状態に応じてガス分圧差を調整する思想」の双方の思想を応用して、システムを構成した。しかしながら、これらの思想は必ずしも組み合わせて用いられる必要は無く、「クロスリークに伴う水生成を燃料電池への水供給に利用する思想」のみを利用して燃料電池システムを構成することとしてもよい。
【０１１７】
具体的には、例えば、実施の形態１のシステムと同様の構成とし、図２のフローチャートを応用して、ＥＣＵ４０に「スタート→水不足判定（ステップＳ１００）→アノード圧増加（Ｓ１２０）→冷却液循環量増加（Ｓ１２２）→水不足解消？（Ｓ１２８）→標準運転状態へ移行（Ｓ１１２）→終了（Ｓ１２８で成立が認められない場合はＳ１２０へ戻す）」のルーチンを実行させることとしてもよい。
【０１１８】
または、図２のフローチャートから、「水不足状態に応じてガス分圧差を調整する思想」に相当するステップＳ１０２〜Ｓ１１０およびステップＳ１１４〜Ｓ１１８の処理を除くこととしてもよい。
【０１１９】
なお、上述した第１変形例では、ステップＳ１００の処理が実行されることで前記第１の発明の「水不足判定手段」が、ステップＳ１２０の処理が実行されることで、前記第１の発明の「水素分圧差調整手段」が、それぞれ実現されている。
【０１２０】
（第２変形例）
実施の形態１では、第２特徴動作の「水不足状態に応じてガス分圧差を調整する思想」の思想に基づき、水不足が実質的にアノードのみで生じている場合と、実質的にカソードのみで生じている場合との両方を判別して（図２のルーチンのステップＳ１０２）、それぞれの場合に応じて適切なガス分圧差を調整した。しかしながら、上述した水不足状態の判別は、必ずしもアノードとカソードの双方に対して行わなくともよい。必要に応じて、「水不足が実質的にアノードのみで生じている場合を判別する処理」と、「実質的にカソードのみで生じている場合を判別する処理」のどちらか一方のみを備えるシステムとしてもよい。
【０１２１】
（第３変形例）
実施の形態１では、アノードとカソードの水素分圧差を大きくする際に、アノードの圧力を増加する手法を用いた。しかしながら、本発明におけるアノードとカソードの水素分圧差を大きくする手法はこれに限られるものではない。アノードとカソードの圧力をそれぞれ適宜調整（増減）することにより、水素分圧差を大きくしてもよい。また、実施の形態１では、アノードとカソードの酸素分圧差を大きくする際に、カソードの圧力を増加する手法を用いた。しかしながら、本発明はこれに限られるものではない。アノードとカソードの圧力をそれぞれ適宜調整（増減）し、酸素分圧差を大きくすることとすればよい。
【０１２２】
（第４変形例）
実施の形態１の具体的処理では、水素分圧差または酸素分圧差が大きいほど、冷却液流路７０内の冷却液の流量（循環量）が多くなるようにした。このような冷却液流量の調整に換えて、またはそれと共に、次に述べるような冷却温度調整を行うこととしてもよい。
【０１２３】
図３は、実施の形態１のシステムに、付加的に、冷却温度調整手法を組み合わせたシステムを説明するための図である。図３のシステムは、冷却液流路７０が冷却系７２に置き換えられている点を除いて、図１に示した実施の形態１のシステムとほぼ同様の構成を有している。なお、図１のシステムが備える他の構成に関しては、図示を省略している。
【０１２４】
図３のシステムでは、燃料電池１２に冷却系７２が接続されている。冷却系７２は、図１のシステムの冷却液流路７０と同様に、系内で冷却液を循環させることにより燃料電池１２を冷却することができる。冷却系７２は、燃料電池１２に連通する管路７４を有している。管路７４には、燃料電池１２内部を冷却した後の冷却液が流出する。また、管路７４は切替弁８０に連通し、切替弁８０は管路７６および管路７８に連通している。そして、管路７６は直接切替弁８２に、管路７８はラジエータ８４を介して切替弁８２に連通している。切替弁８０、８２およびラジエータ８４は、ＥＣＵ４０に接続されている。
【０１２５】
このような構成において、ＥＣＵ４０が切替弁８０、８２を制御することで、燃料電池１２→管路７４→切替弁８０→管路７６→切替弁８２→燃料電池１２の経路（以下、「第１冷却経路」とも呼称する）と、燃料電池１２→管路７４→切替弁８０→管路７８→ラジエータ８４→切替弁８２→燃料電池１２の経路（以下、「第２冷却経路」とも呼称する）とを、適宜切り替えることができる。
【０１２６】
第４変形例では、上記のようなシステム構成において、通常運転時、即ち、水不足が生じていない場合には、冷却系を第１冷却経路に設定する。そして、水不足判定がなされて水素分圧差または酸素分圧差を増加させる際には、冷却系を第２冷却経路に切替るとともに、分圧差の増加量に応じて、ラジエータ８４における冷却温度を低く設定する（換言すれば、ラジエータ８４による冷却量を増加する）。
【０１２７】
このようにすることで、水素分圧差または酸素分圧差を増加させてクロスリーク量が増大したことにより、電極触媒層において水素と酸素の反応が局所的に生じて電極触媒層に局所的な高温の部分（ヒートスポットとも呼称される）が生じた場合でも、冷却温度を低下させることで電極触媒層の過熱を防止することができる。
【０１２８】
なお、上記の手法において、第２冷却系への切替えとともに、実施の形態１と同様に、冷却流量を増大させることとしてもよい。また、上述した第４変形例では、ラジエータを含まない経路（第１冷却経路）とラジエータを含む経路（第２冷却経路）とを有し、これらを適宜切り替える構成とした。しかしながら、ラジエータを含む１つの冷却経路のみを有する構成としても良い。
【０１２９】
なお、上述した第４変形例では、第２冷却経路が、前記第５の発明または前記第９の発明の「冷却液流路」に、ラジエータ８４が、前記第５の発明または前記第９の発明の「冷却液の温度を調節する手段」に、それぞれ相当している。また、上述した第４変形例の中で、分圧差の増加量に応じてラジエータ８４における冷却温度を低く設定する手法が、前記第５の発明または前記第９の発明の「冷却温度調整手段」に相当している。
【０１３０】
（その他の変形例）
なお、実施の形態１の具体的処理では、水素分圧差または酸素分圧差が大きいほど冷却液流路７０内の冷却液の流量（循環量）が多くなるようにした。また、実施の形態１では、循環ポンプ２６とアノードガス循環流路とを有するシステムにおいて、酸素分圧差の増加に応じて循環ポンプ２６の動作量を増加して、アノードガス循環流路内のガスの循環量を増加することとした。
【０１３１】
しかしながら、これらの手法は、「クロスリークに伴う水生成を燃料電池への水供給に利用する思想」を用いる上で、またはそれに加えて「水不足状態に応じてガス分圧差を調整する思想」を用いる上では、必須のものではない。必要に応じて、上記列挙した手法を適宜加えることとすればよい。
【０１３２】
すなわち、冷却液の流量増加を行わないシステムや冷却系そのものを有さないシステム、ガス循環量の増加を行わないシステム、アノードの系内でアノードガスを循環させないシステムなどに対しても、「クロスリークに伴う水生成を燃料電池への水供給に利用する思想」と、「水不足状態に応じてガス分圧差を調整する思想」とを用いることができる。
【０１３３】
なお、実施の形態１のシステムは、外部の加湿器など加湿モジュールを有さない構成となっている。しかしながら、本発明はこれに限られるものではない。必要に応じ、本発明の水供給の手法と、加湿モジュールとを併用してもよい。なお、加湿モジュールを有する燃料電池システムにあっては、低温始動時には、当該加湿モジュールの加湿能力が低下する。その結果、カソードに供給するガスの加湿量が低下してしまう。
【０１３４】
このため、加湿モジュールを有する燃料電池システムに本発明の思想を適用する場合には、上述した具体的処理のステップＳ１０２に、「低温始動時に加湿モジュールの加湿能力の低下が予想される場合には実質的にカソード側のみで水不足が生じている」と判別する条件を加えてもよい。
【０１３５】
また、上述した実施の形態１では、第２特徴動作における水不足状態の判別条件として、実質的にアノードのみの水不足が生じる運転条件と、実質的にカソードのみの水不足が生じる運転条件とを、それぞれいくつか示した。しかしながら、水不足状態を判別する条件は、上記示したもののみに限られるものではない。運転状態による判別を行う場合には、上記例示した以外にも、適宜、システムの運転状態と水不足状態との相関を把握しておき、これに基づいて判断を行うことができる。
【０１３６】
また、上記示した運転条件に基づく判別手法以外にも、水不足状態の判別を実現しうる種々の技術を利用することとすればよい。例えば、アノードオフガス流路４６とカソードオフガス流路５８にそれぞれ湿度計を設けて、それぞれの極の乾燥状態を判定するような手法を用いても良い。
【０１３７】
また、上述した実施の形態１において、水不足が実質的にアノードもしくはカソードのみで生じている場合とは、換言すれば、燃料電池の水不足（ドライアップ）が生じた際に電圧を低下させる要因が、上述した実施の形態１の第２特徴動作で述べたｂ〜ｄの要因となっている場合を意味している。すなわち、触媒層における分極が電圧低下の主たる要因となっており、水分が不足して加湿を必要とする部分がアノードもしくはカソードの触媒層である場合を意味している。
【０１３８】
実施の形態２．
［実施の形態２の構成および特徴動作］
実施の形態１では、第１特徴動作の説明で述べたように、燃料電池１２が水不足状態にある場合には、原則として燃料電池１２内の水素分圧差を大きくしている。一方、上述したように、クロスリークを利用した生成水の増加は、水素分圧差を増加してアノードからカソードへ移動する水素量が増加する以外にも、酸素分圧差を増加してカソードからアノードへ移動する酸素量を増加することによっても実現できる。
【０１３９】
そこで、実施の形態２では、実施の形態１と同様の構成において、燃料電池１２が水不足状態にある場合には、原則として、燃料電池１２内の酸素分圧差を大きくすることにする。換言すれば、実施の形態１の第１特徴動作では水素分圧差を大きくしていたところを、実施の形態２では酸素分圧差を大きくすることにする。このようにすることで、アノード触媒層で反応する酸素量が増加し、実施の形態１と同様に、燃料電池１２内の生成水量を増加することができる。
【０１４０】
［実施の形態２の具体的処理］
実施の形態２は、実施の形態１と同様の構成で、図４のフローチャートに示すルーチンを実行することにより実現される。図４のフローチャートは、図２のフローチャートのステップＳ１２０、３７０をそれぞれステップＳ１７０、４７０に置き換えている点、およびステッＳ１３１の処理を削除して新たにステップＳ１７１の処理を加えた点を除いて、図２のフローチャートと同様のものである。従って、図２のフローチャートと同様の処理に関しては、その説明を省略または簡略して行う。
【０１４１】
また、実施の形態２の具体的処理では、上述した実施の形態２の特徴動作に加え、実施の形態１の第２特徴動作である「水不足状態に応じたガス分圧差の調整」をも含む処理を実行することにする。なお、以下の説明では、実施の形態２の実施の形態１に対する相違点である、ステップＳ１７０以降の処理についてのみ説明する。ステップＳ１０４以降またはＳ１１４以降の処理に関しては、実施の形態１と同様の処理のため、その説明を省略する。
【０１４２】
ステップＳ１７０では、カソードの圧力を増加することにより、酸素分圧差を大きくする処理が実行される。これにより、クロスリークに伴う燃料電池１２内部の生成水量が増加し、燃料電池１２の水不足が緩和される。その後、ステップＳ１２２の処理が実行される。ステップＳ１２２の処理がなされたあとは、酸素分圧差の増大に伴うアノードの生成水量増加に合わせて、ステップＳ１３１と同様の目的で、水素の循環量を増加する処理が実行される（ステップＳ１７１）。その後、Ｓ１２６の処理が実行される。
【０１４３】
ステップＳ１２６で水不足の改善が認められた場合には、再度ステップＳ１７０からの処理が実行される。また、当該ステップで水不足の改善が認められない場合には、アノード圧を増加して、水素分圧差を大きくする処理が実行される（ステップＳ１８０）。その後、ステップＳ１３２、Ｓ１１２の処理がなされ、今回のルーチンが終了する。
【０１４４】
以上の処理によれば、実施の形態１と同様に、燃料電池１２が水不足にある状況下で、クロスリークに伴う水生成を利用して、燃料電池１２に水を供給することができる。
【０１４５】
尚、上述した実施の形態２では、燃料電池１２が前記第１７の発明における「燃料電池」に、可変調圧弁２０およびエア排圧調整弁６２が前記第１７の発明の「圧力調整手段」に、それぞれ相当している。また、実施の形態２では、上述したルーチンのステップＳ１００、Ｓ１０２の処理が実行されることで、前記第１７の発明における「水不足判定手段」が、ステップＳ１７０の処理が実行されることで、前記第１７の発明における「酸素分圧差調整手段」が、それぞれ実現されている。
【０１４６】
また、上述した実施の形態２では、その具体的処理において、ステップＳ１０２の処理が実行されることで、前記第１８の発明における「アノード水不足判別手段」が実現されている。
【０１４７】
また、上述した実施の形態２では、図４のルーチンにおいて、ステップＳ１０２の処理が実行されることで、前記第１９の発明における「カソード水不足判別手段」が、ステップＳ１１４の処理が実行されることにより、前記第１９の発明における「カソード水不足時水素分圧差調整手段」が、それぞれ実現されている。
【０１４８】
なお、実施の形態２も、実施の形態１と同様に、実施の形態１で述べた種々の変形を加えることができる。
【０１４９】
実施の形態３．
実施の形態３の燃料電池システムは、上述した実施の形態１と同様に、「クロスリークに伴う水生成の利用」の思想を応用している。しかしながら、実施の形態３では、実施の形態１の第２特徴動作の「水不足状態に応じたガス分圧差の調整」の思想が用いられておらず、これに換えて、後述する「クロスリーク量に基づく水不足判定」の思想および「ストイキ比に基づく水不足判定」の思想が応用されている点で、実施の形態１と主に相違している。
【０１５０】
［実施の形態３の構成］
図５は、本発明の実施の形態３に係る燃料電池システム１０の構成を示す模式図である。燃料電池システム２１０は、例えば燃料電池自動車に搭載されるものである。燃料電池システム２１０は燃料電池２１２を備えている。本実施形態において、燃料電池（ＦＣ）２１２は固体高分子分離膜を備えた燃料電池（ＰＥＭＦＣ）であり、２つの燃料電池スタック（スタック２１２ａとスタック２１２ｂ）から構成されている。
【０１５１】
各スタック２１２ａ，２１２ｂは、電解質膜、アノード、カソード、およびセパレータとから構成される燃料電池セル（以下、「単位セル」とも呼称する）を複数積層して構成される。図５及び図６において、矢印Ａは単位セルの積層方向を示している。本実施形態において、スタック２１２ａ，１２２ｂのそれぞれは２００個の単位セルを備えている。隣接する単位セル同士は、一方のセルのアノードと他方のセルのカソードがセパレータを介して対向した状態で積層されている。
【０１５２】
図５に示すように、燃料電池２１２には、アノードガス流路２１４及びカソードガス流路２１６が導入されている。アノードガス流路２１４は高圧の水素タンク２１８と接続されており、水素タンク２１８から各スタック２１２ａ，２１２ｂ内のアノードへ水素リッチなアノードガスが送られる。アノードガス流路２１４には、水素タンク２１８の下流にレギュレータ２２０が設けられている。レギュレータ２２０は、燃料電池２１２の入口におけるアノードガスの圧力を要求される適正圧力に調圧するものである。また、アノードガス流路２１４には、レギュレータ２２０の下流に圧力センサ２２２が接続されている。
【０１５３】
カソードガス流路２１６にはポンプ２２４が設けられており、ポンプ２２４の駆動により各スタック２１２ａ，２１２ｂ内のカソードへ酸素を含む酸化ガスとしてのカソードガスが送られる。
【０１５４】
図６は、アノードガス流路２１４、カソードガス流路２１６と各スタック２１２ａ，２１２ｂとの接続部を詳細に示す模式図である。ここで、図６（Ａ）は、アノードガス流路２１４と各スタック２１２ａ，２１２ｂとの接続部を示している。図６（Ａ）に示すように、アノードガス流路２１４は分配管２２６を介して各スタック２１２ａ，２１２ｂと接続されている。分配管２２６は、アノードガス流路２１４から送られたアノードガスをスタック２１２ａとスタック２１２ｂに分配する機能を有している。
【０１５５】
図６（Ｂ）は、カソードガス流路２１６と各スタック２１２ａ，２１２ｂとの接続部を示している。図６（Ｂ）に示すように、カソードガス流路２１６は分配管２２８を介して各スタック２１２ａ，２１２ｂと接続されている。分配管２２８は、カソードガス流路２１６から送られたカソードガスをスタック２１２ａとスタック２１２ｂに分配する機能を有している。
【０１５６】
また、図６は、各スタック２１２ａ，２１２ｂが備える４００個の単位セルの配置を示している。図６（Ａ）及び図６（Ｂ）に示すように、スタック２１２ａにはセル番号＃１〜＃２００のセルが設けられており、スタック２１２ｂにはセル番号＃２０１〜＃４００のセルが設けられている。スタック２１２ａにおいては、セル番号＃１のセルは分配管２２６，２２８が接続された端部の反対側に配置され、分配管２２６，２２８に近づくほどセル番号は増加し、最も分配管２２６，２２８に近接したセルの番号は＃２００となる。一方、スタック２１２ｂにおいては、セル番号＃２０１のセルは分配管２２６，２２８が接続された端部側に配置され、分配管２２６，２２８から離れるほどセル番号は増加し、最も分配管２２６，２２８から離れたセルの番号は＃４００となる。
【０１５７】
図７は、各単位セルとその周辺の平面構成を示す模式図であって、単位セルの積層方向から各スタック２１２ａ，２１２ｂの内部を見た状態を模式的に示している。すなわち、図７は、セルの積層方向と直交する方向に沿った断面を模式的に示したものであり、例えば図６（Ａ）中の一点鎖線Ｉ−Ｉ’に沿った断面に対応している。
【０１５８】
図７に示すように、各単位セルには、アノードガスの流路２３０とカソードガスの流路２３２が設けられている。流路２３０，２３２は単位セルの積層方向に沿って重なるように設けられているため、図７では各流路２３０，２３２を破線で略式に示している。図７に示すように、各流路２３０，２３２はセルの一端から他端に向けて直線状に延在している。
【０１５９】
各流路２３０，２３２の両端には、各流路２３０，２３２のそれぞれと個別に接続される分配部２３４，２３５が単位セルの積層方向に重なるように設けられている。分配部２３４，２３５の更に外側には、マニホールド２３６，２３８，２４２，２４４が設けられている。マニホールド２３６は分配部２３４を介してアノードガスの流路２３０と接続されている。また、マニホールド２３８は分配部２３５を介してカソードガスの流路２３２と接続されている。マニホールド２３６，２３８及び後述するマニホールド２４２，２４４は、単位セルの積層方向に貫通する孔として設けられている。マニホールド２３６の端部は分配管２２６と接続され、マニホールド２３８の端部は分配管２２８と接続されている。
【０１６０】
また、燃料電池２１２の各単位セルには冷却液が循環している。これにより、発電に伴う燃料電池２１２の過度な温度上昇が抑えられ、燃料電池２１２の温度が最適値に設定される。この冷却液は燃料電池２１２外部に備えられる冷却系（不図示）を通って流れており、冷却液循環ポンプ（不図示）によってその循環量が制御されている。
【０１６１】
このような構成によれば、アノードガス流路２１４から分配管２２６を経由して各スタック２１２ａ，２１２ｂに送られたアノードガスは、マニホールド２３６に送られ、マニホールド２３６から分配部２３４および流路２３０を経由して各単位セルのアノードに送られる。同様に、カソードガス流路２１６から分配管２２８を経由して各スタック２１２ａ，２１２ｂに送られたカソードガスは、マニホールド２３８に送られ、マニホールド２３８から分配部２３５および流路２３２を経由して各単位セルのカソードに送られる。
【０１６２】
燃料電池２１２のアノードでは、アノードガスが送り込まれると、このアノードガス中の水素から水素イオンを生成し（Ｈ２→２Ｈ＋＋２ｅ−）、カソードは、カソードガスが送り込まれると、このカソードガス中の酸素から酸素イオンを生成し、燃料電池２１２内では電力が発生する。また、これと同時にカソードにおいて、上記の水素イオンと酸素イオンとから水（生成水）が生成される（（１／２）Ｏ２＋２Ｈ＋＋２ｅ−→Ｈ２Ｏ）。この水のほとんどは、燃料電池２１２内で発生する熱を吸収して水蒸気となり、カソードオフガス中に含まれて排出される。
【０１６３】
アノードから排出されたアノードオフガスは、図７に示すマニホールド２４２に送られ、マニホールド２４２を経由して図５に示すアノードオフガス流路２４６に送られる。アノードオフガス流路２４６にはポンプ２４８が設けられており、アノードオフガスは、ポンプ２４８の駆動により再びアノードガス流路２１４へ戻される。アノードガス流路２１４に戻されたアノードオフガスは、水素タンク２１８からの水素の補充を受けて、再度燃料電池２１２へ送られる。アノードオフガスを燃料電池２１２へ送ることで、アノードオフガス中に含まれる未反応の水素を燃料電池２１２内で反応させることができ、水素の利用効率を高めることができる。なお、上述したアノードガス流路２１４→燃料電池２１２のアノード→アノードオフガス流路２４６→ポンプ２２６を含む循環流路が、アノードガス循環流路を形成しているとも言うことができる。
【０１６４】
アノードオフガス流路２４６には、アノードオフガス中の水分を捕集する気液分離器２５０が設けられている。ポンプ２４８の下流において、アノードオフガス流路２４６には排気弁２５４が接続されている。アノードオフガス流路２４６→アノードガス流路２１４→燃料電池２１２の経路からなるアノード循環系に窒素（Ｎ２）等の不純物成分が多く含まれる場合は、排気弁２５４を間欠的に開くことでパージを行い、これらの成分を排出する。
【０１６５】
また、排気弁２５４が接続された箇所の下流には、逆止弁２５６が設けられている。逆止弁２５６は、アノードガス流路２１４からポンプ２４８へ向かう流れを阻止する機能を有している。
【０１６６】
一方、各単位セルのカソードから排出されたカソードオフガスは、図７に示すマニホールド２４４に送られ、マニホールド２４４から図５に示すカソードオフガス流路２５８に送られる。カソードオフガスは、カソードオフガス流路２５８を通り、排出される。カソードオフガス流路２５８には、カソードオフガスの圧力を調整する制御弁２６２、および制御弁２６２の上流におけるカソードオフガス圧力を検出する圧力センサ２６４が設けられている。制御弁２６２によれば、燃料電池２１２から排出されるカソードオフガスの圧力を制御することができる。また、燃料電池２１２に送られるカソードガスの流量はポンプ２２４により制御することができる。
【０１６７】
また、カソードオフガス流路２５８には加湿器２６６が設けられている。加湿器２６６にはカソードガス流路２１６が導入されている。加湿器２６６は、燃料電池２１２内で生成されてカソードオフガスに含まれる水分を吸収し、吸収した水分によりカソードガス流路２１６中のカソードガスを加湿する機能を有している。
【０１６８】
図５に示すように、本実施形態のシステムはＥＣＵ（Electronic Control Unit）２４０を備えている。ＥＣＵ２４０には、システムの運転状態を把握すべく、燃料電池２１２の出力（電圧値、電流値）、冷却水温などを検出するための各種センサ（不図示）が接続されており、ＥＣＵ２４０は、燃料電池２１２が備える４００個の単位セルのそれぞれのセル電圧を検知することができる。また、ＥＣＵ２４０には、上述した圧力センサ２２２，２６４、レギュレータ２２０、排気弁２５４、制御弁２６２、冷却液循環ポンプ（不図示）などが接続されている。ＥＣＵ２４０は、燃料電池２１２の出力、各ガスの圧力、各ガスの流量、冷却液の循環量を制御することで、燃料電池２１２を所望の運転状態で運転することができる。
【０１６９】
また、ＥＣＵ２４０は、実施の形態３のＥＣＵ４０と同様に、燃料電池２１２内の水分の不足が生じているか否かを判定する水不足判定処理を実行できるように構成されている。
【０１７０】
［実施の形態３の動作］
（実施の形態３の第１特徴動作「クロスリークに伴う水生成の利用」）
実施の形態３においても、実施の形態１と同様に、燃料電池２１２が水不足であるとの判定がなされた場合には、クロスリークに伴う水生成を燃料電池２１２への水供給に利用することとする。具体的には、実施の形態１と同じく、水不足判定処理が燃料電池１２の水不足の発生を検出した場合、原則として、アノードの圧力を増加してアノードとカソードの水素分圧差を大きくする。その結果、実施の形態１と同様に、カソードの電極触媒層で生成する水の量を増加し、燃料電池１２に水を供給することができる。
【０１７１】
（実施の形態３の第２特徴動作「クロスリーク量に基づく水不足判定」）
実施の形態３では、更に、上述した水不足の判定を効率よく行う目的で、クロスリーク量に基づいて、個々の燃料電池セルのうち水不足が発生し易い燃料電池セルを特定することとする。具体的には、実施の形態３ではクロスリーク量が相対的に少ないセルを特定して、当該セルに対して水不足判定処理を行うこととする。
【０１７２】
図８は、各単位セルのクロスリーク量を算出するための手法を説明する図である。図８には、単位セルの初期の電圧値に対して、カソードとアノードの間で差圧をつけた場合と、カソードとアノードを同圧とした場合とのそれぞれについて生ずる電圧低下が示されている。図に示すように、差圧をかけたときには電圧降下が大きく、同圧とした時には差圧時に比して電圧降下の程度が小さくなっている。
【０１７３】
図８において、差圧時電圧と同圧時電圧との電圧差（電圧低下１）の絶対値に相当する量がクロスリークに由来する電圧低下を意味し、同圧時における電圧低下２はクロスリーク以外の要因に由来するものである。このように、差圧時および同圧時における電圧差から、各単位セルの電圧低下要因を分析することができる。そして、当該分析から、各単位セルのクロスリーク量（ガス透過量）を算出することができる。
【０１７４】
このような分析によって得られた各単位セルのガス透過量を比較することで、クロスリーク量が少ない燃料電池セルを特定することができる。なお、上記のようなクロスリーク量の算出を行う技術は、特開２００５−２５１４８２号公報にも開示されている。従って、より具体的かつ詳細な手法に関しては、その説明を省略する。
【０１７５】
燃料電池２１２の各単位セルが発電する過程で、アノードとカソードの間でガスの分圧差が生じている状況下では、当該単位セル内で水素及び酸素がそれぞれ電解質膜を介してクロスリークしている。単位セル毎にそのクロスリーク量が相違する場合には、通常運転状態においてクロスリークしている水素および酸素の量も単位セル毎に相違することになる。
【０１７６】
クロスリーク量が少ない場合には、クロスリークに起因する生成水の量も当然に少なくなる。このため、クロスリークが相対的に少ない単位セルでは、通常運転時において内部に存在する水の量も少なくなる。その結果、クロスリーク量が少ないセルは、他の単位セルと比較して、より水不足を生じ易い状態にあることになる。
【０１７７】
そこで、実施の形態３の第２特徴動作では、クロスリーク量が少ないセルを判別して、当該セルに対して水不足の判定を行うこととする。これにより、燃料電池２１２内で生ずる水不足を確実かつ迅速に発見することができる。
【０１７８】
（実施の形態３の第３特徴動作「ストイキ比に基づく水不足判定」）
実施の形態３では、上述した水不足への対処を効果的に行う目的で、更に、ストイキ比に基づいて、個々の燃料電池セルのうち水不足が発生し易い燃料電池セルを特定することとする。具体的には、実施の形態３では、ストイキ比が相対的に大きいセルの特定を行い、当該セルに対して水不足の判定を行うこととする。先ず、以下に、セル電圧の変化率に基づいて各単位セルの供給ガス量を求める方法を詳細に説明する。なお、以下の説明では、各単位セルへのカソードガス供給量を求める方法を説明するが、アノードガスの供給量についても同様の方法で求めることができる。
【０１７９】
図９は、燃料電池２１２に供給されるカソードガスのストイキ比と、燃料電池２１２の出力との関係を示す特性図であって、燃料電池２１２の定常運転中に実測して得られた特性を示している。図９の特性は、燃料電池２１２の単体状態で取得しても良いし、燃料電池システム２１０を燃料電池自動車に搭載した状態で取得しても良い。
【０１８０】
図９において、横軸は、カソードガス流路２１６を流れるカソードガスのストイキ比を示している。このストイキ比は、カソードガス流量の理論値に対する実際のカソードガス流量の比率である。カソードガス流量の理論値は、燃料電池２１２の駆動負荷に基づいて算出される値である。通常、高電流密度域でのカソードガスのストイキ比は１．２〜１．５程度の値とされ、理論値よりも実際のカソードガス流量を多くすることで、燃料電池２１２を安定して運転することができる。
【０１８１】
また、図９の縦軸は、燃料電池２１２が備える全ての単位セルのセル電圧値の平均値（平均セル電圧）を示している。上述したようにＥＣＵ２４０は各単位セルのセル電圧を検出することができ、これらのセル電圧を平均することで平均セル電圧が求まる。
【０１８２】
図９の特性を取得する際には、アノードガス流路２１４におけるアノードガスの流量は一定値に固定されている。図９の特性を取得する際には、先ず、ストイキ比を基準ストイキ比Ｓ０に設定した状態で平均セル電圧（基準電圧Ｖ０）を検出する。ここで、基準ストイキ比Ｓ０は、通常運転時のストイキ比ＳＡよりも大きな値に設定されている。その後、ストイキ比を基準ストイキ比Ｓ０から減少させ、各ストイキ比Ｓ１，Ｓ２，Ｓ３毎に平均セル電圧を検出する。
【０１８３】
基準ストイキ比Ｓ０からストイキ比を減少させていくと、カソードガスの流量が低下し、燃料電池２１２内での反応量が低下するため、平均セル電圧は基準電圧Ｖ０から低下していく。図９に示すように、ストイキ比がＳ０からＳ１に低下すると平均セル電圧はＶ１となり、基準電圧Ｖ０からの平均セル電圧の変化量ΔＶ１は（Ｖ０−Ｖ１）となる。同様に、ストイキ比がＳ０からＳ２に低下すると平均セル電圧はＶ２となり、平均セル電圧の変化量はΔＶ２（＝Ｖ０−Ｖ２）となる。また、ストイキ比がＳ０からＳ３に低下すると平均セル電圧はＶ３となり、平均セル電圧の変化量はΔＶ３（＝Ｖ０−Ｖ３）となる。このように、平均セル電圧の変化量は、ストイキ比が基準ストイキ比Ｓ０から低下するほど増加する。
【０１８４】
図１０は、平均セル電圧の変化率とストイキ比との関係を示す特性図（近似式）であって、図９の特性に基づいて得られるものである。図１０において、横軸は平均セル電圧の変化率を示している。平均セル電圧の変化率は、例えば図９に示す各ストイキ比Ｓ１，Ｓ２，Ｓ３において、平均セル電圧の変化量ΔＶ１，ΔＶ２，ΔＶ３をそれぞれ基準電圧Ｖ０で除算することにより求めることができる。すなわち、ストイキ比Ｓ１における電圧変化率はΔＶ１／Ｖ０となり、ストイキ比Ｓ２における電圧変化率はΔＶ２／Ｖ０となり、ストイキ比Ｓ３における電圧変化率はΔＶ３／Ｖ０となる。図１０の近似式は、各ストイキ比Ｓ１，Ｓ２，Ｓ３において電圧変化率をプロットし、近似曲線（直線）で結ぶことにより得られたものである。
【０１８５】
図１０の特性によれば、単位セルの電圧変化率とカソードガスのストイキ比との関係が明らかになる。従って、各単位セルにおいて、セル電圧の変化率が求まれば、電圧変化率に基づいて各単位セルのストイキ比を求めることが可能になる。
【０１８６】
各単位セルにおけるセル電圧は、燃料電池２１２に供給されるカソードガスのストイキ比を可変することで変化する。従って、ストイキ比を可変した際の各単位セルのセル電圧の変化量から、セル電圧の電圧変化率を求めることができる。
【０１８７】
以下、各単位セルにおいてセル電圧の変化率を求める方法を説明する。各単位セルの電圧変化率を求める際には、先ずカソードガス流路２１６におけるカソードガスのストイキ比を図９で説明した基準ストイキ比Ｓ０に設定し、この状態で各単位セルにおいて基準電圧Ｖ０（ｎ）を求める。その後、カソードガス流路１６におけるストイキ比を基準ストイキ比Ｓ０から通常運転時のストイキ比ＳＡまで低下させる。そして、ストイキ比をＳＡとした状態で、各単位セルにおいてセル電圧ＶＡ（ｎ）を求める。これにより、ストイキ比がＳ０からＳＡに変化した際のセル電圧の変化量（Ｖ０（ｎ）−ＶＡ（ｎ））が求まり、変化量（Ｖ０（ｎ）−ＶＡ（ｎ））を基準電圧Ｖ０（ｎ）で除算することで、各単位セルのセル電圧の変化率Ｐ（ｎ）を求めることができる。すなわち、電圧変化率Ｐ（ｎ）は以下の式から求められる。
Ｐ（ｎ）＝（Ｖ０（ｎ）−ＶＡ（ｎ））／Ｖ０（ｎ）        
但し、上式において、ｎはセル番号である。
【０１８８】
このようにして求められた各単位セルのセル電圧の変化率Ｐ（ｎ）は、図１０の特性（横軸）に当てはめられる。これにより、各単位セルにおいてカソードガスのストイキ比を求めることが可能になる。
【０１８９】
上述したように、燃料電池２１２が必要とするカソードガス流量の理論値は、燃料電池２１２の負荷に基づいて算出され、これに基づいて各単位セルにおけるカソードガス流量の理論値が算出される。従って、図１０の特性から各単位セルにおける実際のストイキ比が求まると、これを各単位セルにおけるカソードガス流量の理論値に乗算することで、各単位セルにおける実際のカソードガス流量を求めることが可能となる。
【０１９０】
なお、全ての単位セルに均等にカソードガスを供給することを想定した場合、各単位セルにおけるカソードガス流量の理論値は、燃料電池２１２全体へのカソードガス供給量の理論値をセル数で除算した値となる。
【０１９１】
このように、本実施形態の手法によれば、各単位セルのセル電圧の変化率に基づいて、各単位セルにおけるストイキ比、及びカソードガス流量を求めることができる。従って、各単位セルのそれぞれに対してカソードガスの供給が良好に行われているか否かを判定することが可能になる。
【０１９２】
また、本実施形態の手法では、セル電圧の変化率は基準電圧Ｖ０からの電圧変化量を基準電圧Ｖ０で除算することにより算出されるため、ガスの供給量以外の要因、例えば電解質膜、アノード、カソードを構成する触媒層、拡散層などの劣化、短絡、流路への異物混入などの要因でセル電圧が変動した場合であっても、その影響が及ぶことはない。従って、本実施形態の手法によれば、これらの要因を排除した状態で各単位セルにおけるストイキ比、カソードガス流量を正確に求めることができる。
【０１９３】
図１１は、燃料電池２１２の各単位セル（＃１〜＃４００）において、上述した方法でストイキ比（カソードガス流量）を算出した結果を示す模式図である。図１１において、横軸はセル番号を、縦軸はストイキ比（カソードガス流量）を示している。このような手法により、ストイキ比が相対的に大きくなっているセル番号を特定することができる。
【０１９４】
ストイキ比の大きい単位セルでは、内部から持ち去られる水の量が多くなる傾向にある。従って、ストイキ比が大きいほど、内部の水分が不足しやすい状況にある。そこで、実施の形態３の第３特徴動作では、上記の手法によりストイキ比が大きいセルを特定し、当該セルに対して水不足判定処理を行うこととする。これにより、燃料電池２１２内で生ずる水不足を確実かつ迅速に発見することができる。
【０１９５】
［実施の形態３の具体的処理］
以下、図１２を用いて、実施の形態３のシステムが行う具体的処理を説明する。図１２は、実施の形態３においてＥＣＵ２４０が実行するルーチンのフローチャートである。図１２のルーチンは、実施の形態３のシステムの運転中に実行される。また、図１２のルーチンは、上述した実施の形態３の第１〜３特徴動作を実現する処理となっている。
【０１９６】
図１２のルーチンが開始されると、先ず、燃料電池２１２の冷却水の温度が測定される（ステップＳ３００）。この処理では、ＥＣＵ２４０が冷却系の冷却液温度の情報を取得して、燃料電池２１２の温度を検知する。
【０１９７】
次に、水不足し易いセルの特定ができているか否かが判別される（ステップＳ３０２）。ここでは、ＥＣＵ４０が、セル特定済フラグがＯＮ状態となっているか否かを判別する。実施の形態３のルーチンでは、水不足し易いセルの特定が前回のルーチン等によりなされており、当該特定結果が有効に利用できると判断できている間は、セル特定済フラグをＯＮとすることとする。当該セルの特定が未だなされていない場合や、前回の結果が有効に利用できない状況にある場合には、セル特定済フラグをＯＦＦ状態とする。
【０１９８】
ステップＳ３０２でセルの特定ができていないと判別された場合には、先ず、ガス透過量の小さいセルを特定する処理が実行される（ステップＳ３０４）。この処理では、上記の実施の形態３の第２特徴動作にある思想に基づき、先ず、電流密度を一定とした条件下で、＃１〜＃４００の単位セルのそれぞれのガス透過量（クロスリーク量）が算出される。
【０１９９】
実施の形態３では、予め実験などにより、クロスリーク量と水不足の発生し易さとの間の相関を求めておき、所定の閾値を定めておく。そして、クロスリーク量がこの閾値以下のセルは、水不足し易いセルと判断することとする。ステップＳ３０４では、＃１〜＃４００のそれぞれのセルについて、クロスリーク量を閾値と比較し、閾値以下となっているセルの番号を保持する。
【０２００】
続いて、ストイキ比が多いセルを算出する処理が実行される（ステップＳ３０６）。具体的には、上記の実施の形態３の第３特徴動作にある思想に基づき、先ず、カソードガス流量を一定とした条件下で、＃１〜＃４００の単位セルのそれぞれのストイキ比の値が算出される（図１１参照）。実施の形態３では、予め実験などにより、ストイキ比と水不足の発生し易さとの間の相関を求めておき、所定の閾値を定めておく、そして、ストイキ比がこの閾値以下のセルは、水不足し易いセルと判断することにする。ステップＳ３０６では、＃１〜＃４００のそれぞれのセルについて、ストイキ比を閾値と比較し、閾値以下となっているセルの番号を保持する。
【０２０１】
次に、積層セル中の水不足し易いセルを特定する処理が実行される（ステップＳ３０８）。この処理では、ステップＳ３０４で特定されたセルとステップＳ３０６で特定されたセルの中で、最も水不足を生じ易いセルが特定される。具体的には、実施の形態３では、ステップＳ３０４の結果を水不足の発生し易さのパラメータＤＡに換算し、ステップＳ３０６の結果を水不足の発生し易さのパラメータＤＢに換算し、ＤＡとＤＢの合計値が最も大きいセルを特定する。このように、ステップＳ３０４〜Ｓ３０８の処理が実行されることで、燃料電池２１２中で最も水不足を発生し易いセルを特定することができる。
【０２０２】
ステップＳ３０８の処理が実行された後、または、ステップＳ３０２において水不足し易いセルが特定できているとの判断がなされた後は、続いて、燃料電池２１２が高温運転状態にあるか否かが判別される（ステップＳ３１０）。実施の形態３では、予め所定の閾値温度を定めておき、ステップＳ３００で検知された温度が当該閾値を超えているか否かによって、燃料電池２１２が高温運転状態にあるか否かを判断することとする。この条件の成立が認められない場合には、後述するステップＳ３１８へと移行する。
【０２０３】
ステップＳ３１０の条件の成立が認められた場合には、次に、セル電圧が低下しているか否かが判別される（ステップＳ３１２）。具体的には、ＥＣＵ４０が取得する燃料電池２１２の出力電圧の情報に基づいて、燃料電池２１２で水不足が生じていると判断されうるような電圧低下が生じているか否かが判別される。なお、電圧値に基づいて水不足発生を判定する技術は、例えば、特開２００４−１２７９１４に開示されているように、既に公知となっている技術である。従って、その詳細な説明は省略する。この条件の成立が認められない場合には、後述するステップＳ３１８へと移行する。
【０２０４】
ステップＳ３１２の条件の成立が認められた場合には、次に、水不足し易いセルの状態が確認される（ステップＳ３１４）。具体的には、ステップＳ３０８において特定されたセル、または、ステップＳ３０２で特定されているセルで、水不足の発生が認められる電圧低下が生じているか否かが判断される。この条件の成立が認められない場合には、後述するステップＳ３１８へと移行する。
【０２０５】
ステップＳ３１４の条件の成立が認められた場合には、アノードの圧力を増加する処理が実行される（ステップＳ３１６）。具体的には、ＥＣＵ２４０が、レギュレータ２２０を所定の量だけ開弁側に制御する。その結果、カソード触媒上で酸素と反応する水素量が増加し、生成する水の量が増加する。生成水量が増加することで、燃料電池２１２内部の水の量が増加することとなり、燃料電池２１２内の水不足が緩和されることになる。
【０２０６】
ステップＳ３１４の処理の実行後、または、前述したステップＳ３１０，３１２，３１４の判定条件が不成立であった場合には、続いて、システムの運転が継続されるか否かが判別される（ステップＳ３１８）。このルーチンでは、ＥＣＵ４０が、燃料電池システム２１０の停止の要求が成されているか否かを検出する。燃料電池システム２１０が車両等に搭載されている場合には、イグニションキーの状態などからこの判別を行うことが可能である。
【０２０７】
当該条件成立が認められない場合には、燃料電池システム２１０は未だ運転を継続すべき状態にあると判断され、ステップＳ３１０からの処理が実行される。これにより、水不足の判定（Ｓ３１０〜Ｓ３１４）およびその対処（Ｓ３１６）を行いつつ、運転が継続される。運転停止要求があった場合には、運転を停止すべき状況にあると判断され、今回のルーチンが終了する。
【０２０８】
以上の処理によれば、単位セルのなかで最も水不足が生じ易いセルを特定して、このセルについて水不足が生じているか否かを判定することで、燃料電池２１２の水不足を効率よく、確実に検知することができる。そして、当該水不足の発生時にはアノードの圧力を増加することにより、水素分圧差を大きくして、水素のクロスリーク量を増加することができる。その結果、クロスリークに伴う水生成の機能を利用して、燃料電池２１２内部に水を供給し、水不足を緩和することができる。
【０２０９】
尚、上述した実施の形態３では、燃料電池２１２が、前記第１の発明における「燃料電池」に相当し、レギュレータ２２０および制御弁２６２が前記第１の発明の「圧力調整手段」に相当し、上述したルーチンのステップＳ３００〜Ｓ３１４の処理が実行されることで、前記第１の発明における「水不足判定手段」が、ステップＳ３１６の処理が実行されることで、前記第１の発明における「水素分圧差調整手段」が、それぞれ実現されている。
【０２１０】
また、上述した実施の形態３では、燃料電池２１２を構成する各燃料電池セル（単位セル）が、前記第１１の発明の「燃料電池セル」に相当している。また、上述した具体的処理において、ステップＳ３０２〜Ｓ３０８の処理が実行されることで、前記第１１の発明の「水分少量セル特定手段」が、ステップＳ３１０〜Ｓ３１４の処理が実行されることで、前記第１１の発明の「特定セル水不足判定手段」が、それぞれ実現されている。
【０２１１】
また、上述した実施の形態３の具体的処理において、ステップＳ３０４の処理が実行されることで、前記第１２の発明の「各セルのクロスリーク量を検知する手段」が、ステップＳ３０８の処理が実行されることで、前記第１２の発明の「前記複数の燃料電池セルのうちクロスリーク量が相対的に少ない燃料電池セルを前記水分が相対的に少ない燃料電池セルと特定する」という処理が、それぞれ実現されている。
【０２１２】
また、上述した実施の形態３の具体的処理において、ステップＳ３０６の処理が実行されることで、前記第１３の発明の「各セルのストイキ比を算出する手段」が、ステップＳ３０８の処理が実行されることで、前記第１３の発明の「前記複数の燃料電池のうちストイキ比が相対的に大きい燃料電池セルを前記水分が相対的に少ない燃料電池セルと特定する」という処理が、それぞれ実現されている。
【０２１３】
［実施の形態３の変形例］
（第１変形例）
実施の形態３では、上述した実施の形態３の第１特徴動作に含まれる「クロスリークに伴う水生成を燃料電池への水供給に利用する思想」と、実施の形態３の第２特徴動作に含まれる「クロスリーク量に基づいて水不足判定を行う思想」と、実施の形態３の第３特徴動作に含まれる「ストイキ比に基づいて水不足判定を行う思想」の全てを応用して、システムを構成した。しかしながら、これらの思想は必ずしも組み合わせて用いられる必要は無く、「クロスリークに伴う水生成を燃料電池への水供給に利用する思想」のみを利用して燃料電池システムを構成することとしてもよい。
【０２１４】
具体的には、例えば、実施の形態３のシステムと同様の構成とし、図１２のフローチャートを応用して、ＥＣＵ２４０に「スタート→水不足判定（ステップＳ３１０、３１２）→アノード圧増加（Ｓ３１６）→運転継続？（Ｓ３１８）→終了（Ｓ３１８で成立が認められない場合はＳ３１０へ戻す）」のルーチンを実行させることとしてもよい。
【０２１５】
なお、上述した実施の形態３の第１変形例では、ステップＳ３１０、３１２の処理が実行されることで前記第１の発明の「水不足判定手段」が、ステップＳ３１６の処理が実行されることで、前記第１の発明の「水素分圧差調整手段」が、それぞれ実現されている。
【０２１６】
（第２変形例）
実施の形態３では、実施の形態３の第２特徴動作に含まれる「クロスリーク量に基づく水不足判定」の思想と、実施の形態３の第３特徴動作に含まれる「ストイキ比に基づく水不足判定」の思想の両方を用いて、水不足が発生し易いセルを特定した。しかしながら、これらの思想は必ずしも組み合わせて用いられる必要は無く、どちらか一方のみの思想を利用して燃料電池システムを構成することとしてもよい。
【０２１７】
前述したように、電解質膜を介したガスのクロスリーク量が少ないセルほど、水不足を発生し易い。そこで、実施の形態３の第３変形例では、上述した「クロスリーク量に基づいて水不足判定を行う思想」のみを用いて、クロスリーク量が相対的に少ないセルを特定して、当該セルの電圧の挙動に基づいて、水不足の判定を行うこととする。具体的には、本変形例では、クロスリーク量が所定の閾値以下のセルを複数個特定して、これら複数のセルを総合的に観察して水不足の判定を行うこととする。
【０２１８】
具体的には、第２変形例では、実施の形態３のシステムと同様の構成とし、図１２のフローチャートを応用して、ＥＣＵ２４０に「スタート→冷却水温度測定（ステップＳ３００）→水不足し易いセルは特定済みか？（ステップＳ３０２）→クロスリーク量の少ないセルの特定（Ｓ３０４）→水不足判定（ステップＳ３１０、３１２、３１４）→アノード圧増加（Ｓ３１６）→運転継続？（Ｓ３１８）→終了（Ｓ３１８で成立が認められない場合はＳ３１０へ戻す）」のルーチンを実行させることとする。
【０２１９】
（第３変形例）
また、前述したように、ストイキ比が大きいセルほど水不足を発生し易い。そこで、第３変形例では、上述した「ストイキ比に基づいて水不足判定を行う思想」のみを用いて、ストイキ比が相対的に大きいセルを特定して、当該セルの電圧の挙動に基づいて、水不足の判定を行うこととする。具体的には、本変形例では、ストイキ比が所定の閾値以上のセルを複数特定して、これら複数のセルを総合的に観察して水不足の判定を行うこととする。
【０２２０】
具体的には、第３変形例では、実施の形態３のシステムと同様の構成とし、図１２のフローチャートを応用して、ＥＣＵ２４０に「スタート→冷却水温度測定（ステップＳ３００）→水不足し易いセルは特定済みか？（ステップＳ３０２）→ストイキ比が相対的に大きいセルの特定（Ｓ３０６）→水不足判定（ステップＳ３１０、３１２、３１４）→アノード圧増加（Ｓ３１６）→運転継続？（Ｓ３１８）→終了（Ｓ３１８で成立が認められない場合はＳ３１０へ戻す）」のルーチンを実行させることとすればよい。
【０２２１】
（第４変形例「フラッディングし易いセルへの対処」）
上述したように、電解質膜を介したガスのクロスリーク量が少ない燃料電池セル（単位セル）では、通常運転時において内部に存在する水の量が相対的に少なくなる。すなわち、逆に、クロスリーク量が多いセルでは、通常運転時において内部に存在する水の量が相対的に多くなることになる。また、上述したように、ストイキ比が大きいほど、燃料電池セル（単位セル）内部がより乾燥しやすい状態にある。換言すれば、ストイキ比が小さいほど、通常運転時において内部に存在する水の量が相対的に多くなることになる。
【０２２２】
燃料電池セル内部の水の量が多いセルでは、いわゆるフラッディングがより発生しやすくなる。そこで第４変形例では、先ず、単位セルの中でクロスリーク量が相対的に多く、かつストイキ比が相対的に小さいセルを特定する。続いて、当該特定されたセルにおいて、フラッディングが生じているか否かを判別する。そして、当該セルのフラッディングの発生を検知したら、アノードとカソードの水素分圧差（あるいは酸素分圧差）を小さくすることとする。
【０２２３】
両極間の水素分圧差（あるいは酸素分圧差）を小さくすると、クロスリーク量が抑制される。その結果、クロスリークに伴う水生成の機能が抑制され、セル面内の水量を減少させることができる。このように、第４変形例によれば、フラッディングの発生を効率よく、かつ的確に検知し、フラッディング発生時にクロスリークによる生成水量を減少させることができる。
【０２２４】
また、フラッディングを生じているセルでは、電圧の挙動が不安定になる傾向にある。そこで、第４変形例では、上述した分圧差の減少後に電圧の安定化が認められたら、セル面内の水が減少してフラッディングが解消されているものと判断し、通常の運転状態に戻すことにする。このようにすることで、フラッディングが解消されているにもかかわらず水生成が抑制されるような事態が生ずるのを、回避することができる。
【０２２５】
具体的処理としては、例えば、図１２のルーチンの実行と独立して、「スタート→フラッディングし易いセルの特定（第１ステップ）→当該セルでフラッディングが生じているか否かの判定（第２ステップ）→フラッディングが生じている場合には分圧差を小さくし、フラッディングが生じていない場合には分圧差変化させず（第３ステップ）→今回のルーチン終了」というルーチンを実行させることができる。
【０２２６】
尚、上述した第４変形例では、上述した第１ステップが、前記第１４の発明の「水分多量セル特定手段」に、第２ステップが、前記第１４の発明の「セル水分過剰判定手段」に、第３ステップが、前記第１４の発明の「水分過剰時水素分圧差調整手段」に、それぞれ相当している。
【０２２７】
また、上述した第１ステップが含む「単位セルの中でクロスリーク量が相対的に多く、かつストイキ比が相対的に小さいセルを特定する」処理が、前記第１５の発明の「前記複数の燃料電池のうちクロスリーク量が相対的に多い燃料電池セルを前記水分が相対的に多い燃料電池セルと特定する」処理および前記第１６の発明の「前記複数の燃料電池セルのうちストイキ比が相対的に小さい燃料電池セルを前記水分が相対的に多い燃料電池セルと特定する」処理にそれぞれ相当している。
【０２２８】
なお、第４変形例においては、単位セルの中でクロスリーク量が相対的に多く、かつストイキ比が相対的に小さいセルについて、フラッディングが生じているか否かを判別する手法を用いた。しかしながら、必ずしもクロスリーク量とストイキ比との両方の情報をフラッディングの判定に用いなくともよく、例えば、クロスリーク量が相対的に多いセルのみについてフラッディングの判定を行うことにしても、或いは、ストイキ比が相対的に小さいセルのみについてフラッディングの判定を行うことにしてもよい。
【０２２９】
（その他の変形例）
電解質膜を介してクロスリークするガスの量は、膜の構造（分子構造、膜厚など）によって変化する。図１３は、電解質膜の膜厚に対する水素の初期透過量の傾向を説明する図である。この図にあるように、膜厚が増加するほど、初期透過量が少なくなる傾向にあることがわかる。そこで、このような傾向を把握しておき、電解質膜の膜厚が大きい場合には水不足が生じ易くなるなどの条件を、水不足判定の条件に加えることができる。また、膜厚が大きいほど差圧をつけた際のクロスリーク量が少なくなることから、このような傾向を、水不足時の水素分圧差（および酸素分圧差）の増加量に反映（例えば、膜厚に応じたパラメータを設定するなど）させることとしてもよい。
【０２３０】
また、燃料電池システムが車両に搭載されている場合には、図１４に示すように、走行距離が長くなるほどクロスリーク量が増加する傾向がある。これに起因して、水不足の発生のし易さや、差圧を大きくした場合のクロスリーク量の増加具合などが、走行距離に応じて変化すると考えられる。そこで、このような傾向を予め実験などにより把握しておき、走行距離の情報を、水不足の判定や水素分圧差（および酸素分圧差）の増加量に反映（例えば、パラメータを走行距離に応じて変化させる）させることとしてもよい。
【０２３１】
なお、本実施の形態を、次に述べるような場合に適用することもできる。燃料電池システムが車両等に搭載されている場合に、燃費を上昇させる（走行距離を伸ばす）目的などで、アイドル時にカソードガス或いはアノードガスを供給するポンプ（実施の形態３では、ポンプ２２４、２４８）を間欠的に停止しつつ、燃料電池の発電を行うことがある（間欠運転）。このような間欠運転の際には、本実施形態における圧力制御を、間欠運転時の通常の圧力制御に、以下のように組み合わせることができる。
【０２３２】
図１５は、燃料電池の運転状態が通常運転（通常走行）と間欠運転とで切り替わる前後における、燃料電池内の圧力制御の様子を説明するための図である。図１５では、間欠運転時に回路を開放状態（ＯＣ：Open circuit）とした場合の様子を示している。  図１５（ａ）に示す矢印は、運転状態が通常運転から間欠運転に切り替わる様子を示している。
【０２３３】
また、図１５（ｂ）は、間欠運転へ切り替わる際に実行される通常の圧力制御の一例を示している。図１５（ｃ）は、図１５（ｂ）と同様に運転状態が切り替わる場合であって、かつ、燃料電池が水不足と判定された場合において、「クロスリークに伴う水生成を燃料電池への水供給に利用する思想」に基づく圧力制御が実行されている様子を示している。
【０２３４】
図１５（ｂ）に示す圧力制御方法おいては、通常運転時には、アノード圧力が増加傾向に制御される。そして、間欠運転時には、アノード圧力が所定値に達したらポンプの運転が停止される。このような状態で回路が開放状態とされていれば、発電によるガスの消費はなされない。しかしながら、前述したクロスリークにより水素および酸素の移動が生じ、実際にはアノード圧力が徐々に減少することになる（図１５（ｂ）の点線）。
【０２３５】
そこで、本実施の形態では、図１５（ｃ）の圧力制御の際に、間欠運転時のクロスリークに起因して生ずる圧力低下分を考慮して、アノード圧を制御することにする。具体的には、本実施の形態では、通常の間欠運転の際にクロスリークに伴って生ずるアノード圧の減少の傾向を把握しておく。そして、燃料電池内の水不足が生じている場合の間欠運転時には、アノード圧を増加させると共に、クロスリークによる圧力低下分を見込んで、アノード圧の増加分を若干過剰にする。
【０２３６】
このようにすることで、間欠運転時においても、水不足に対処するためのアノード圧力の増加を適切に行い、クロスリークに伴う水生成を燃料電池への水供給に利用することができる。
【０２３７】
なお、実施の形態３も、実施の形態１および２と同様に、実施の形態１および２で述べた種々の変形を加えることができる。具体的には、例えば、実施の形態３に対して、実施の形態１の具体的処理で行ったのと同様に、水素分圧差または酸素分圧差が大きいほど冷却系内の冷却液の流量（循環量）が多くなるようにしてもよい。また、ラジエータを含む冷却系を備える構成とし、水素分圧差または酸素分圧差が大きいほど、冷却系における冷却温度を低くすることにしてもよい。また、酸素分圧差の増加に応じてポンプ２２６の動作量を増加して、アノードガス循環流路内のガスの循環量を増加することとしてもよい。
【０２３８】
実施の形態４．
実施の形態１では、「クロスリークに伴う水生成を燃料電池への水供給に利用する思想」と、「水不足状態に応じてガス分圧差を調整する思想」とを組み合わせて用いた。また、実施の形態３では、「クロスリークに伴う水生成を燃料電池への水供給に利用する思想」と、「クロスリーク量に基づいて水不足判定を行う思想」と、「ストイキ比に基づいて水不足判定を行う思想」とを、組み合わせて用いた。これらの思想を、更に組み合わせて用いることもできる。
【０２３９】
実施の形態４では、「クロスリークに伴う水生成を燃料電池への水供給に利用する思想」と、「水不足状態に応じてガス分圧差を調整する思想」と、「クロスリーク量に基づいて水不足判定を行う思想」と、「ストイキ比に基づいて水不足判定を行う思想」の４つの思想を組み合わせて用いることとしている。換言すれば、実施の形態４のシステムは、実施の形態１と実施の形態３の思想を組み合わせた形態となっている。
【０２４０】
図１６は、実施の形態４の燃料電池システムが実行するルーチンのフローチャートである。図１６のフローチャートは、図２のフローチャートにおいて、ステップＳ４００、Ｓ４１０の処理を加えるとともに、ステップＳ１００をステップＳ４２０に置き換えたものである。実施の形態４は、図１６のフローチャートを、実施の形態３と同様の構成（即ち、図５〜７に示す構成）で実行することにより実現される。
【０２４１】
図１６のルーチンが実行されると、先ず、水不足が発生し易い燃料電池セルの特定ができているか否かが判別される（ステップＳ４００）。ステップＳ４００の処理は、実施の形態３の具体的処理におけるステップＳ３０２の処理に相当しており、その処理を同様に実行することで実現できるため、説明は省略する。
【０２４２】
ステップＳ４００の条件の成立が認められなかった場合には、水不足が生じ易い燃料電池セルの特定が行われる（ステップＳ４１０）。ステップＳ４１０の処理は、実施の形態３の具体的処理におけるステップＳ３０４〜Ｓ３０８の処理に相当しており、それらの処理を同様に実行することで実現されるため、説明は省略する。
【０２４３】
ステップＳ４００の条件の成立が認められた場合、または、ステップＳ４１０の処理の実行後には、燃料電池２１２で水不足が生じているか否かが判別される（ステップＳ４２０）。ステップＳ４２０の処理では、実施の形態３で述べたように、燃料電池２１２が高温運転状態にあるか否か（図１２のルーチンのステップＳ３１０に相当）、燃料電池２１２の出力電圧の情報に基づき燃料電池２１２で水不足が生じていると判断されうるような電圧低下が生じているか否か（ステップＳ３１４に相当）、特定されたセルで水不足の発生が認められる電圧低下が生じているか否か（ステップＳ３１４に相当）について、それぞれ判別が行われる。これらの条件を全て満たしている場合には燃料電池２１２内で水不足が生じていると判断される。
【０２４４】
ステップＳ４２０の条件の成立が認められた場合には、実施の形態１と同様に、ステップＳ１０２以降の処理が実行される。ステップＳ４２０の条件の成立が認められない場合には、燃料電池２１２では水不足が生じていないと判断され、今回のルーチンが終了する。
【０２４５】
以上説明した処理によれば、実施の形態１の利点と実施の形態３の利点とを併せて享受することができる。
【０２４６】
なお、実施の形態４で実行した図１６のフローチャートは、図２のフローチャートにおいて、ステップＳ４００、Ｓ４１０の処理を加えるとともに、ステップＳ１００をステップＳ４２０に置き換えたものである。これに対し、実施の形態２で実行した図４のフローチャートに対して、ステップＳ４００、Ｓ４１０の処理を加えるとともに、ステップＳ１００をステップＳ４２０に置き換えることとしてもよい。この場合には、実施の形態２と実施の形態３とを組み合わせた処理が実行されることになり、実施の形態２の利点と実施の形態３の利点とをあわせて享受することができる。
【０２４７】
なお、実施の形態４も、実施の形態１乃至３と同様に、実施の形態１乃至３で述べた種々の変形を加えることができる。
【０２４８】
なお、上述したように、クロスリーク量は、電解質膜を挟んだ二つの極におけるガスの分圧差によって生ずる。このため、ガスの分圧差が変化すれば、これに応じてクロスリーク量が変化する。水素分圧差はアノードの圧力（以下、アノード圧とも呼称）の増加に応じて、酸素分圧差はカソードの圧力（以下カソード圧とも呼称）の増加に応じて、それぞれ増大する。しかしながら、この場合において、水素分圧差の増加の際に必ずアノード圧がカソード圧よりも大きくなることが求められたり、逆に、酸素分圧差の増加の際に必ずカソード圧がアノード圧よりも大きくなることが求められるということではない。また、酸素または水素の分圧差を増大する際に、必ずしも差圧を増大させることが要求されるものではない。
【０２４９】
例えば、アノード圧がカソード圧よりも大きい状況においてカソード圧を増加して、それらを同圧に近づけた場合には、原理的には、酸素分圧差が増大する効果が得られる。また、これと反対の状況下においてアノード圧を同様に増加することにより、原理的には、水素分圧差が増大する効果が得られる。アノードとカソードの差圧が過大となると、電解質膜への負担が増加し、好ましくない。よって、この点を考慮してそれぞれの極の圧力値を調整し、差圧が過大となるのを避けつつ酸素または水素の分圧差を増大することにより、そのような差圧の過大を避けることもできる。具体的には、例えば、アノードの圧力以下の範囲でカソードの圧力を増加して、酸素分圧差を増大するような圧力制御を行うことができる。
【図面の簡単な説明】
【０２５０】
【図１】本発明の実施の形態１の燃料電池システムを説明するための図である。
【図２】実施の形態１においてＥＣＵが実行するルーチンのフローチャートである。
【図３】実施の形態１の変形例を説明するための図である。
【図４】本発明の実施の形態２においてＥＣＵが実行するルーチンのフローチャートである。
【図５】本発明の実施の形態３の燃料電池システムを説明するための図である。
【図６】本発明の実施の形態３の燃料電池システムを説明するための図である。
【図７】本発明の実施の形態３の燃料電池システムを説明するための図である。
【図８】各単位セルのクロスリーク量を算出するための手法を説明する図である。
【図９】燃料電池に供給されるカソードガスの流量と、燃料電池の出力との関係を示す特性図である。
【図１０】各単位セルの平均電圧の変化率とカソードガス流量との関係を示す特性図である。
【図１１】燃料電池の各単位セル（＃１〜＃４００）において、カソードガス流量（ストイキ比）を算出した結果を示す模式図である。
【図１２】実施の形態３においてＥＣＵが実行するルーチンのフローチャートである。
【図１３】実施の形態３の変形例を説明するための図である。
【図１４】実施の形態３の変形例を説明するための図である。
【図１５】実施の形態３の変形例を説明するための図である。
【図１６】本発明の実施の形態４においてＥＣＵが実行するルーチンのフローチャートである。
【符号の説明】
【０２５１】
１０    燃料電池システム                    １２    燃料電池
１４    アノードガス流路                    １６    カソードガス流路
１８    水素タンク                          ２０    可変調圧弁
２１    シャットバルブ                      ２２    圧力センサ
２４    ポンプ                              ２６    循環ポンプ
４６    アノードオフガス流路                ５２    排水弁
５４    排気弁                              ５８    カソードオフガス流路
６０    希釈器                              ６２    エア排圧調整弁
６４    圧力センサ                          ７０    冷却系
７２    冷却系                              ７４、７６、７８    管路
８０、８２    切替弁                        ８４    ラジエータ
２１０  燃料電池システム                    ２１２  燃料電池
２１２ａ，１２２ｂ    燃料電池スタック
２１４  アノードガス流路                    ２１６  カソードガス流路
２１８  水素タンク                          ２２０  レギュレータ          
２２２、２６４  圧力センサ
２２４  ポンプ                              ２２６，２２８  分配管
２３０，２３２    流路                      ２３４，２３５  分配部
２３６，２３８，２４２，２４４  マニホールド
２４６  アノードオフガス流路                ２４６  アノードオフガス流路
２４８  ポンプ                              ２５０  気液分離器
２５２  排水弁                              ２５４  排気弁
２５６  逆止弁                              ２５８  カソードオフガス流路
２６２  制御弁                              ２６４  圧力センサ
２６６  加湿器                              Ｓ０    基準ストイキ比
Ｓ１，Ｓ２，Ｓ３  ストイキ比
【図１】
2008153032.tif 000003
【図２】
2008153032.tif 000004
【図３】
2008153032.tif 000005
【図４】
2008153032.tif 000006
【図５】
2008153032.tif 000007
【図６】
2008153032.tif 000008
【図７】
2008153032.tif 000009
【図８】
2008153032.tif 000010
【図９】
2008153032.tif 000011
【図１０】
2008153032.tif 000012
【図１１】
2008153032.tif 000013
【図１２】
2008153032.tif 000014
【図１３】
2008153032.tif 000015
【図１４】
2008153032.tif 000016
【図１５】
2008153032.tif 000017
【図１６】
2008153032.tif 000018